(57)【要約】【課題】運動中のユーザの実際の運動姿勢等を簡易かつ的確に撮影することができる撮影システムおよびその制御方法、その制御プログラムを提供する。【解決手段】撮影システムは、ユーザＵＳの運動中の種々のセンサデータ等を取得するリスト機器１００やチェスト機器２００と、センサデータ等に基づく撮影条件を設定して撮影の開始および終了を制御することにより、所望のランニング状態の映像データを取得する撮像機器３００と、上記センサデータ等および映像データをネットワークサーバ６００に転送する情報通信端末４００と、転送されたセンサデータ等および映像データに基づいて、ユーザＵＳの運動状態に関する各種の分析情報や運動姿勢を示すループ映像を生成するネットワークサーバ６００と、ネットワークサーバ６００にアクセスすることにより、センサデータ等や各種の分析情報とループ映像が連携して表示されるユーザ端末８００と、を有している。【選択図】図１
2015128216.tif 000002
【特許請求の範囲】
【請求項１】
撮影装置と、被写体の運動状態を検出する運動状態検出装置と、を含み、
前記運動状態検出装置は、
前記被写体の運動状態を検出する検出部と、
前記検出部により検出された検出信号、または、前記検出信号に基づいて生成された生成信号が、所定の撮影条件を満たしているか否かに応じて、前記撮影装置における撮影処理を制御する撮影制御信号を出力する撮影条件判定部と、
前記撮影制御信号を、前記撮影装置に送信する通信機能部と、
を有し、
前記撮影装置は、
前記被写体の運動の様子を撮影するための撮像部と、
前記運動状態検出装置から送信される前記撮影制御信号を受信する受信部と、
前記撮影制御信号に基づいて、前記撮像部に前記撮影処理を実行させる撮影制御部と、
を有することを特徴とする撮影システム。
【請求項２】
前記検出信号は、前記被写体の運動の状態に伴って変化する信号であり、
前記撮影装置は、前記被写体の運動の様子を撮影する
ことを特徴とする請求項１に記載の撮影システム。
【請求項３】
前記運動状態検出装置は、心拍センサ、または、加速度センサを有し、
前記検出信号は、前記心拍センサ、または、前記加速度センサにより検出された信号であり、
前記生成信号は、前記被写体の運動状態に関わる信号である
ことを特徴とする請求項１または２に記載の撮影システム。
【請求項４】
前記撮影条件判定部は、
前記検出信号、または、前記生成信号の値が、予め設定した第一の基準値を上回ったときに、前記撮影装置における前記撮影処理を開始させる撮影制御信号を出力し、
前記検出信号、または、前記生成信号の値が、予め設定した第二の基準値を上回ったとき、または、予め設定した第三の基準値を下回ったときに、前記撮影装置における前記撮影処理を終了させる撮影制御信号を出力する
ことを特徴とする請求項１乃至３のいずれかに記載の撮影システム。
【請求項５】
前記撮影条件判定部は、
前記検出信号、または、前記生成信号の値が、予め設定した第一の基準値を下回ったときに、前記撮影装置における前記撮影処理を開始させる撮影制御信号を出力し、
前記検出信号、または、前記生成信号の値が、予め設定した第二の基準値を下回ったとき、または、予め設定した第三の基準値を上回ったときに、前記撮影装置における前記撮影処理を終了させる撮影制御信号を出力する
ことを特徴とする請求項１乃至３のいずれかに記載の撮影システム。
【請求項６】
前記撮影条件判定部は、
前記検出信号、または、前記生成信号の振幅が、予め設定した範囲に収まったときに、前記撮影装置における前記撮影処理を開始させる撮影制御信号を出力し、
前記検出信号、または、前記生成信号の振幅が、予め設定した範囲を逸脱したときに、前記撮影装置における前記撮影処理を終了させる撮影制御信号を出力する
ことを特徴とする請求項１乃至３のいずれかに記載の撮影システム。
【請求項７】
前記撮影条件判定部は、
前記検出信号、または、前記生成信号の振幅が、予め設定した範囲を逸脱したときに、前記撮影装置における前記撮影処理を開始させる撮影制御信号を出力し、
前記検出信号、または、前記生成信号の振幅が、予め設定した範囲に収まったときに、前記撮影装置における前記撮影処理を終了させる撮影制御信号を出力する
ことを特徴とする請求項１乃至３のいずれかに記載の撮影システム。
【請求項８】
前記運動状態検出装置は、前記検出信号、または、前記生成信号と、前記撮影装置において撮影された撮影データとの同期を行うための同期信号を出力する同期信号生成部を有し、
前記通信機能部は、前記同期信号を、前記撮影装置に送信し、
前記撮影制御部は、前記受信部を介して受信した前記同期信号に基づいて、前記撮影データを前記検出信号、または、前記生成信号と同期し、
前記撮影装置は、前記同期された前記撮影データを保存する記憶部を有する
ことを特徴とする請求項１乃至７のいずれかに記載の撮影システム。
【請求項９】
撮影装置と、被写体の運動状態を検出する運動状態検出装置と、を含む撮影システムの制御方法であって、
前記運動状態検出装置によって、
前記被写体の運動状態を検出し、
前記検出された検出信号、または、前記検出信号に基づいて生成された生成信号が、所定の撮影条件を満たしているか否かに応じて、前記撮影装置における撮影処理を制御する撮影制御信号を出力し、
前記撮影制御信号を前記撮影装置に送信し、
前記撮影装置によって、
前記被写体の運動の様子を撮影し、
前記運動状態検出装置から送信される前記撮影制御信号を受信し、
前記撮影制御信号に基づいて、前記撮影装置に前記撮影処理を実行させる、
ことを特徴とする撮影システムの制御方法。
【請求項１０】
撮影装置と、被写体の運動状態を検出する運動状態検出装置と、を含む撮影システムの制御プログラムであって、
コンピュータに、
前記運動状態検出装置によって、
前記被写体の運動状態を検出させ、
前記検出された検出信号、または、前記検出信号に基づいて生成された生成信号が、所定の撮影条件を満たしているか否かに応じて、前記撮影装置における撮影処理を制御する撮影制御信号を出力させ、
前記撮影制御信号を前記撮影装置に送信させ、
前記撮影装置によって、
前記被写体の運動の様子を撮影させ、
前記運動状態検出装置から送信される前記撮影制御信号を受信させ、
前記撮影制御信号に基づいて、前記撮影装置に前記撮影処理を実行させる、
ことを特徴とする撮影システムの制御プログラム。
【発明の詳細な説明】
【技術分野】
【０００１】
本発明は、撮影システム、その制御方法、および、その制御プログラムに関し、特に、運動中の被撮影者を適切なタイミングで撮影することができる撮影システム、その制御方法、および、その制御プログラムに関する。
【背景技術】
【０００２】
近年、健康志向の高まりにより、日常的にランニングやウォーキング、サイクリング等の運動を行い、健康状態を維持、増進する人々が増えている。このような人々の中には、マラソン大会や競技会等への参加を目標として、より本格的なトレーニングを行う人も増加している。このような競技志向の高い人々にとっては、より専門的かつ科学的な視点から自らの運動状態を把握、分析し、日常のトレーニングに反映させることにより、大会や競技会等での好記録の実現に役立てたいという要望が高まっている。近年、このような要望に対応する製品や技術が種々開発されており、これによれば、例えば歩数や移動距離、心拍数、カロリー消費量等を測定したり、記録したりすることにより、自らの運動状態等を把握することができる。
【０００３】
例えば特許文献１には、ＧＰＳ（全地球測位システム；Global Positioning System）受信機により得られた位置データと、心拍数等の生体情報や移動速度等の運動状態に関わる各種データとを関連付けて、ディスプレイに表示することが記載されている。
【０００４】
また、例えば特許文献２には、ＧＰＳ受信機により得られた運動経路上の任意の位置における生体情報や運動状態を示す各種データを、予めパターン化されたキャラクタ表示に置き換えて、ディスプレイに表示された地図中に、当該キャラクタを重ね合わせて表示する技術が記載されている。
【先行技術文献】
【特許文献】
【０００５】
【特許文献１】特表２００８−５２４５８９号公報
【特許文献２】特開２００９−０３９１５７号公報
【発明の概要】
【発明が解決しようとする課題】
【０００６】
上述した特許文献１、２に記載された運動状態の表示方法においては、運動経路に連動して心拍数や移動速度等の各種データがディスプレイ上にゲージやスケール、あるいは、キャラクタ等により表示されるので、生体情報や運動状態を把握しやすいという特長を有している。
【０００７】
しかしながら、上述した特許文献１、２に記載された手法においては、例えばランニング中の実際の身体の傾きや左右のバランス、腕の振り等の、運動姿勢（ランニングフォーム）や走り方等に関する情報については、ユーザに何ら提供されていなかった。そのため、ユーザは、運動姿勢を含む運動中の種々の情報を的確に把握することができないという問題を有していた。ここで、運動姿勢に関する情報や、当該運動姿勢と取得した生体情報との関連性についての情報を、分かりやすく提供することは、ユーザが運動状態を的確に把握して、その後のトレーニングに効果的に反映させるために極めて有効である。
【０００８】
そこで、本発明は、上述した問題点に鑑み、運動中のユーザの実際の運動姿勢等を簡易かつ的確に撮影することができる撮影システム、その制御方法、および、その制御プログラムを提供することを目的とする。
【課題を解決するための手段】
【０００９】
本発明に係る撮影システムは、
撮影装置と、被写体の運動状態を検出する運動状態検出装置と、を含み、
前記運動状態検出装置は、
前記被写体の運動状態を検出する検出部と、
前記検出部により検出された検出信号、または、前記検出信号に基づいて生成された生成信号が、所定の撮影条件を満たしているか否かに応じて、前記撮影装置における撮影処理を制御する撮影制御信号を出力する撮影条件判定部と、
前記撮影制御信号を、前記撮影装置に送信する通信機能部と、
を有し、
前記撮影装置は、
前記被写体の運動の様子を撮影するための撮像部と、
前記運動状態検出装置から送信される前記撮影制御信号を受信する受信部と、
前記撮影制御信号に基づいて、前記撮像部に前記撮影処理を実行させる撮影制御部と、
を有することを特徴とする。
【００１０】
本発明に係る撮影システムの制御方法は、
撮影装置と、被写体の運動状態を検出する運動状態検出装置と、を含む撮影システムの制御方法であって、
前記運動状態検出装置によって、
前記被写体の運動状態を検出し、
前記検出された検出信号、または、前記検出信号に基づいて生成された生成信号が、所定の撮影条件を満たしているか否かに応じて、前記撮影装置における撮影処理を制御する撮影制御信号を出力し、
前記撮影制御信号を前記撮影装置に送信し、
前記撮影装置によって、
前記被写体の運動の様子を撮影し、
前記運動状態検出装置から送信される前記撮影制御信号を受信し、
前記撮影制御信号に基づいて、前記撮影装置に前記撮影処理を実行させる、
ことを特徴とする。
【００１１】
本発明に係る撮影システムの制御プログラムは、
撮影装置と、被写体の運動状態を検出する運動状態検出装置と、を含む撮影システムの制御プログラムであって、
コンピュータに、
前記運動状態検出装置によって、
前記被写体の運動状態を検出させ、
前記検出された検出信号、または、前記検出信号に基づいて生成された生成信号が、所定の撮影条件を満たしているか否かに応じて、前記撮影装置における撮影処理を制御する撮影制御信号を出力させ、
前記撮影制御信号を前記撮影装置に送信させ、
前記撮影装置によって、
前記被写体の運動の様子を撮影させ、
前記運動状態検出装置から送信される前記撮影制御信号を受信させ、
前記撮影制御信号に基づいて、前記撮影装置に前記撮影処理を実行させる、
ことを特徴とする。
【発明の効果】
【００１２】
本発明によれば、運動中のユーザの実際の運動姿勢等を簡易かつ的確に撮影することができ、その後のトレーニングに効果的に反映させることができる。
【図面の簡単な説明】
【００１３】
【図１】本発明に係る撮影システムの一実施形態を示す概略構成図である。
【図２】一実施形態に係る撮影システムに適用されるセンサ機器の一例を示す概略構成図である。
【図３】一実施形態に係る撮影システムに適用される手首装着型のセンサ機器の一構成例を示すブロック図である。
【図４】一実施形態に係る撮影システムに適用される胸部装着型のセンサ機器の一構成例を示すブロック図である。
【図５】一実施形態に係る撮影システムに適用される撮像機器の一構成例を示すブロック図である。
【図６】一実施形態に係る撮影システムに適用される情報通信端末の一構成例を示すブロック図である。
【図７】一実施形態に係る撮影システムに適用されるネットワークサーバの一構成例を示すブロック図である。
【図８】一実施形態に係る撮影システムにおけるハイスピード撮影の手法を示す概略図である。
【図９】一実施形態に係る撮影システムにおける制御方法を含む運動支援方法の一例を示すフローチャートである。
【図１０】一実施形態に係る撮影制御処理に適用される撮影方法を実現する際の、機器間の連携状況を示す概略図である。
【図１１】一実施形態に係る撮影制御処理における撮影方法の第１の例を示す概略図である。
【図１２】一実施形態に係る撮影制御処理における撮影方法の第２の例を示す概略図である。
【図１３】一実施形態に係る撮影制御処理における撮影方法の第３の例を示す概略図である。
【図１４】一実施形態に係る撮影制御処理における撮影方法の第４〜第７の例を示す概略図である。
【図１５】一実施形態に係る撮影制御処理における撮影方法の第８〜第１１の例を示す概略図である。
【図１６】一実施形態に係る撮影制御処理における撮影方法の第１２の例を示す概略図である。
【図１７】一実施形態に係る撮影システムに適用される撮影制御処理の一例を示すフローチャートである。
【図１８】一実施形態に係る撮影システムの制御方法を含む運動支援方法に適用されるループ映像生成処理の一例を示すフローチャートである。
【図１９】一実施形態に係るループ映像生成処理に適用される、走動作における動作要素の概念を示す説明図である。
【図２０】一実施形態に係るループ映像生成処理に適用される、走動作における足の接地ポイントの概念を示す説明図である。
【図２１】一実施形態に係るループ映像生成処理に適用される、センサデータから足の接地ポイントを検出する手法を示す説明図である。
【図２２】一実施形態に係る撮影システムに適用されるユーザ端末等に表示される運動情報の表示例を示す概略図である。
【図２３】一実施形態に係る撮影システムの変形例を示す概略構成図である。
【発明を実施するための形態】
【００１４】
以下、本発明に係る撮影システム、その制御方法、および、その制御プログラムについて、実施形態を示して詳しく説明する。なお、以下の説明では、ユーザがランニング等の走動作を伴う運動を行う場合について説明する。
【００１５】
＜撮影システム＞
図１は、本発明に係る撮影システムの一実施形態を示す概略構成図である。図２は、実施形態に係る撮影システムに適用されるセンサ機器の一例を示す概略構成図である。また、図３は、本実施形態に係る撮影システムに適用される手首装着型のセンサ機器の一構成例を示すブロック図である。図４は、本実施形態に係る撮影システムに適用される胸部装着型のセンサ機器の一構成例を示すブロック図である。図５は、本実施形態に係る撮影システムに適用される撮像機器の一構成例を示すブロック図である。図６は、本実施形態に係る撮影システムに適用される情報通信端末の一構成例を示すブロック図である。図７は、本実施形態に係る撮影システムに適用されるネットワークサーバの一構成例を示すブロック図である。
【００１６】
本実施形態に係る撮影システムは、図１、図２に示すように、概略、被撮影者（または被測定者）であるユーザＵＳが手首に装着するリスト機器１００と、胸部に装着するチェスト機器２００と、ハイスピード撮影が可能な撮像機器３００と、情報通信端末４００と、ネットワーク５００と、ネットワークサーバ６００等のデータ処理装置と、ユーザ端末８００と、を有している。
【００１７】
（リスト機器１００）
リスト機器１００は、図２（ａ）、（ｂ）に示すように、ユーザＵＳの手首に装着する腕時計型またはリストバンド型のセンサ機器である。リスト機器１００は、大別して、ユーザＵＳの運動状態や位置を検出するとともに、所定の情報をユーザＵＳに提供する機器本体１０１と、ユーザＵＳの手首に巻き付けることにより機器本体１０１を手首に装着するためのバンド部１０２と、を備えた外観構成を有している。
【００１８】
リスト機器１００は、具体的には、例えば図３に示すように、センサ部１１０と、ＧＰＳ受信回路１２０と、入力インターフェース部１３０と、出力インターフェース部１４０と、通信機能部１５０と、演算回路１６０と、メモリ部１７０と、計時回路１８０と、動作電源１９０と、を備えている。
【００１９】
センサ部１１０は、人体の動作（特に、腕の振りや運動の周期、リスト機器１００の傾斜状態等）を検出するためのモーションセンサであって、例えば図３に示すように、３軸加速度センサ１１１と、３軸角速度センサ（ジャイロセンサ）１１２と、３軸地磁気センサ（電子コンパス）１１３と、を有している。３軸加速度センサ１１１は、ユーザＵＳの運動中の動作速度の変化の割合（加速度）を検出して加速度データとして出力する。ここでは、互いに直交する３軸方向の加速度データが出力される。また、３軸角速度センサ１１２は、ユーザＵＳの運動中の動作方向の変化（角速度）を検出して角速度データとして出力する。ここでは、加速度データを規定する直交する３軸について、それぞれの回転方向の角速度データが出力される。また、３軸地磁気センサ１１３は、地球の磁場（磁界）を検出して地磁気データ、または、リスト機器１００の水平、垂直方向を示す方向データとして出力する。ここでは、互いに直交する３軸方向の地磁気データが出力される。そして、検出されたセンサデータ（加速度データ、角速度データ、地磁気データ）は、後述する計時回路１８０により規定される時間データに関連付けられて、後述するメモリ部１７０のセンサデータ保存用メモリ１７１の所定の記憶領域に保存される。
【００２０】
ＧＰＳ受信回路１２０は、複数のＧＰＳ衛星からの電波を、ＧＰＳアンテナ（図示を省略）を介して受信することにより、緯度、経度情報に基づく地理的な位置、および、その位置の高度（標高）を検出して、位置データおよび高度データとして出力する。このＧＰＳ受信回路１２０により検出された位置データに基づいて、後述する演算回路１６０によりユーザＵＳの移動距離が算出される。また、ＧＰＳ受信回路１２０は、ＧＰＳ衛星からの電波のドップラーシフト効果を利用して、ユーザＵＳの移動速度を検出して移動速度データとして出力する。そして、検出された位置データや移動速度データを含むＧＰＳデータは、上述したセンサデータと同様に、計時回路１８０により規定される時間データに関連付けられて、メモリ部１７０のセンサデータ保存用メモリ１７１の所定の記憶領域に保存される。ここで、ＧＰＳ受信回路１２０により検出される位置データ等に基づいて取得されるユーザＵＳの移動距離や移動速度は、上述した３軸加速度センサ１１１や３軸角速度センサ１１２、３軸地磁気センサ１１３により検出されたセンサデータに基づいて取得される移動距離や移動速度と併用することにより、または、相互補完することにより、その精度を向上させることができる。
【００２１】
入力インターフェース部１３０は、例えば図３に示すように、操作スイッチ１３１と、タッチパネル１３２と、を有している。操作スイッチ１３１は、例えば図２（ｂ）に示すように、機器本体１０１の側面に突出するように設けられた押しボタン型のスイッチであって、上述したセンサ部１１０に設けられた各種センサにおけるセンシング動作の制御や、表示部１４１に表示する項目の設定、撮像機器３００におけるハイスピード撮影の制御（撮影制御処理に用いる撮影条件の設定や、ハイスピード撮影の開始および終了指示；詳しくは後述する）等の、各種の入力操作に用いられる。
【００２２】
また、タッチパネル１３２は、後述する出力インターフェース部１４０に設けられる表示部１４１の前面側（視野側）に設けられ、表示部１４１に表示された情報に応じた領域をタッチ操作することにより、当該情報に対応する機能が選択的に実行される。ここで、タッチパネル１３２により実現される機能は、上記の操作スイッチ１３１により実現される機能と同等であってもよいし、タッチパネル１３２による入力操作特有の機能を有していてもよい。なお、入力インターフェース部１３０は、例えば、上記の操作スイッチ１３１およびタッチパネル１３２のうちの、いずれか一方のみを備えた構成を有しているものであってもよい。
【００２３】
出力インターフェース部１４０は、例えば図３に示すように、表示部１４１と、音響部１４２と、振動部１４３と、を有している。表示部１４１は、例えば液晶方式や発光素子方式の表示パネルを有し、少なくとも上述したセンサ部１１０により検出されたセンサデータや、ＧＰＳ受信回路１２０により取得されたＧＰＳデータ、これらのセンサデータやＧＰＳデータに基づいて生成される各種の運動情報、あるいは、現在時刻等の時間情報等をリアルタイムに表示する。また、表示部１４１は、撮像機器３００におけるハイスピード撮影の制御に関する情報（具体的には、撮影制御処理に用いる撮影条件の設定情報等）を表示する。なお、出力インターフェース部１４０は、後述するチェスト機器２００から送信されるセンサデータや心拍データ、これらのセンサデータや心拍データに基づいて生成される各種の運動情報や生体情報等を表示するものであってもよい。ここで、表示部１４１における各種の情報の表示形態は、上述した操作スイッチ１３１やタッチパネル１３２を操作することにより任意に設定される。
【００２４】
また、音響部１４２は、ブザーやスピーカ等の音響機器を有し、所定の音色や音パターン、音声メッセージ等の音情報を発生することにより、聴覚を通してユーザＵＳに各種の情報を提供または報知する。振動部１４３は、振動モータや振動子等の振動機器（バイブレータ）を有し、所定の振動パターンやその強弱等の振動情報を発生することにより、触覚を通してユーザＵＳに各種の情報を提供または報知する。なお、出力インターフェース部１４０は、少なくとも表示部１４１を備えていれば、音響部１４２や振動部１４３を備えていない構成であってもよい。
【００２５】
通信機能部１５０は、後述するチェスト機器２００において取得されたセンサデータや心拍データ等を受信する際や、センサ部１１０により取得されたセンサデータやＧＰＳ受信回路１２０により取得されたＧＰＳデータ（以下、「センサデータ等」と総称する）を、後述する情報通信端末４００に転送する際のインターフェースとして機能する。また、通信機能部１５０は、チェスト機器２００や後述する撮像機器３００との間で、センサデータやＧＰＳデータ、心拍データ、映像データ等に関連付けられる時間データの同期を行うための同期信号を送信する際のインターフェースとしても機能する。さらに、通信機能部１５０は、撮像機器３００におけるハイスピード撮影の制御に関する情報や信号（具体的には、撮影制御処理に用いる撮影条件の設定情報や、ハイスピード撮影の開始信号および終了信号）を送信する際のインターフェースとしても機能する。ここで、通信機能部１５０を介して、チェスト機器２００や撮像機器３００、情報通信端末４００との間で、センサデータ等や同期信号、撮影条件設定情報、撮影開始信号、撮影終了信号等を転送または送受信する手法としては、例えば各種の無線通信方式や、通信ケーブルを介した有線による通信方式を適用することができる。
【００２６】
上記センサデータ等を、無線通信方式により転送する場合には、例えばデジタル機器用の近距離無線通信規格であるブルートゥース（Bluetooth（登録商標））通信や、この通信規格において低消費電力型の通信規格として策定されたブルートゥースローエナジー（Bluetooth（登録商標） low energy（LE））通信、あるいは、比較的長距離での無線通信が可能なワイファイ（WiFi；wireless fidelity（登録商標））通信、またはこれらと同等の通信方式を良好に適用することができる。このような無線通信方式によれば、後述する動作電源１９０として、例えば環境発電技術等を用いて生成された小電力であっても良好にデータ転送を行うことができる。また、上記センサデータ等を、有線通信方式により転送する場合には、例えばパーソナルコンピュータと周辺機器との接続に用いられるＵＳＢ（Universal Serial Bus）規格の通信ケーブル、またはこれと同等の通信方式の通信ケーブルを良好に適用することができる。
【００２７】
メモリ部１７０は、例えば図３に示すように、大別して、センサデータ保存用メモリ（以下、「センサデータメモリ」と記す）１７１と、プログラム保存用メモリ（以下、「プログラムメモリ」と記す）１７２と、作業データ保存用メモリ（以下、「作業用メモリ」と記す）１７３）と、を有している。
【００２８】
センサデータメモリ１７１は、フラッシュメモリ等の不揮発性メモリを有し、上述したセンサ部１１０やＧＰＳ受信回路１２０により取得されたセンサデータ等を、計時回路１８０により規定される時間データに関連付けて所定の記憶領域に保存する。また、センサデータメモリ１７１は、入力インターフェース部１３０を介して入力された各種の設定情報（具体的には、後述する撮像機器３００におけるハイスピード撮影の制御（撮影制御処理）に関する情報等）を所定の記憶領域に保存する。プログラムメモリ１７２は、ＲＯＭ（読み出し専用メモリ）を有し、センサ部１１０やＧＰＳ受信回路１２０におけるセンシング動作や、通信機能部１５０におけるデータ転送動作等の、各構成における所定の動作を実行するための制御プログラムを保存する。また、プログラムメモリ１７２は、撮像機器３００におけるハイスピード撮影を制御するためのアルゴリズムプログラムを保存する。作業用メモリ１７３は、ＲＡＭ（ランダムアクセスメモリ）を有し、上記制御プログラムを実行する際に使用する各種データや、生成される各種データを一時的に保存する。なお、センサデータメモリ１７１は、その一部または全部が、例えばメモリカード等のリムーバブル記憶媒体としての形態を有し、リスト機器１００に対して着脱可能に構成されているものであってもよい。
【００２９】
演算回路１６０は、ＣＰＵ（中央演算処理装置）やＭＰＵ（マイクロプロセッサ）等の演算処理装置であって、計時回路１８０において生成される動作クロックに基づいて、上述したプログラムメモリ１７２に保存された所定の制御プログラムを実行する。これにより、演算回路１６０は、センサ部１１０の各種センサ１１１〜１１３やＧＰＳ受信回路１２０におけるセンシング動作、出力インターフェース部１４０における情報提供動作、通信機能部１５０におけるデータ転送動作等の、各種の動作を制御する。また、演算回路１６０は、上記の動作クロックに基づいて、プログラムメモリ１７２に保存された所定のアルゴリズムプログラムを実行する。これにより、演算回路１６０は、予め設定された撮影条件に基づいて、撮像機器３００におけるハイスピード撮影の開始および終了動作を制御する。なお、演算回路１６０において実行される制御プログラムやアルゴリズムプログラムは、予め演算回路１６０の内部に組み込まれているものであってもよい。
【００３０】
計時回路１８０は、基本クロックを生成する発振器を有するＲＴＣ（リアルタイムクロック）モジュールであって、リスト機器１００の電源がオフの状態や、各種センサによりセンシング動作を行っていない状態であっても計時動作を継続する。そして、計時回路１８０は、生成した基本クロックに基づいて、リスト機器１００の各構成の動作タイミングを規定する動作クロックや、後述するチェスト機器２００や撮像機器３００との時間データの同期をとるための同期信号、また、現在時刻を示す時刻データ等を生成する。また、計時回路１８０は、上述したセンサ部１１０やＧＰＳ受信回路１２０におけるセンサデータ等の取得タイミングを計時して時間データとして出力する。これにより、時刻データがセンサデータ等に関連付けられて、センサデータメモリ１７１に保存される。また、時刻データは、上述した出力インターフェース部１４０の表示部１４１に表示されることにより、現在時刻等がユーザＵＳに提供される。
【００３１】
動作電源１９０は、リスト機器１００の機器本体１０１内部の各構成に駆動用電力を供給する。動作電源１９０は、例えば市販のコイン型電池やボタン型電池等の一次電池、リチウムイオン電池やニッケル水素電池等の二次電池を適用することができる。また、動作電源１９０は、上記の一次電池や二次電池のほか、振動や光、熱、電磁波等のエネルギーにより発電する環境発電（エナジーハーベスト）技術による電源等を適用することもできる。なお、リスト機器１００が、有線通信方式によりセンサデータ等を情報通信端末４００に転送する構成を有している場合には、通信ケーブルを介して接続された情報通信端末４００から駆動用電力が供給されたり、動作電源１９０の二次電池が充電されたりするものであってもよい。
【００３２】
（チェスト機器２００）
チェスト機器２００は、図２（ａ）、（ｃ）に示すように、ユーザＵＳの胸部に装着する胸部装着型のセンサ機器である。チェスト機器２００は、大別して、ユーザＵＳの運動状態や生体情報を検出する機器本体２０１と、ユーザＵＳの胸部に巻き付けることにより機器本体２０１を胸部に装着するためのベルト部２０２と、を有している。
【００３３】
チェスト機器２００は、具体的には、例えば図４に示すように、センサ部２１０と、心拍検出回路２２０と、操作スイッチ２３０と、通信機能部２５０と、演算回路２６０と、メモリ部２７０と、計時回路２８０と、動作電源２９０と、を備えている。ここで、上述したリスト機器１００と同等の構成については、その説明を簡略化する。
【００３４】
センサ部２１０は、上述したリスト機器１００と同様に、人体の動作（特に、運動姿勢や進行方向、ストライド等）を検出するためのモーションセンサであって、例えば図４に示すように、３軸加速度センサ２１１と、３軸角速度センサ２１２と、３軸地磁気センサ２１３と、を有している。これらの各種センサ２１１〜２１３におけるセンシング動作は、ランニング時には例えば毎秒１００回以上（すなわち、１００Ｈｚ以上のサンプリング周波数。好ましくは２００Ｈｚ）で実行される。そして、検出されたセンサデータ（加速度データ、角速度データ、地磁気データ）は、後述する計時回路２８０により規定される時間データに関連付けられて、後述するメモリ部２７０のセンサデータメモリ２７１の所定の記憶領域に保存される。
【００３５】
心拍検出回路２２０は、チェスト機器２００のベルト部２０２の内面側（人体側）に設けられ、ユーザＵＳの胸部に直接密着するように配置された電極（図示を省略）に接続され、当該電極から出力される心電位信号の変化を検出して、心拍データとして出力する。心拍データは、上述したセンサデータと同様に、計時回路２８０により規定される時間データに関連付けられて、メモリ部２７０のセンサデータメモリ２７１の所定の記憶領域に保存される。
【００３６】
操作スイッチ２３０は、少なくとも電源スイッチを有する入力インターフェースであって、ユーザＵＳにより当該操作スイッチ２３０が操作されることにより、動作電源２９０から各構成への駆動用電力の供給状態（供給または遮断）を制御して、チェスト機器２００の電源のオン、オフを制御する。また、操作スイッチ２３０は、センサ制御用キースイッチを有し、ユーザＵＳにより当該操作スイッチ２３０が操作されることにより、センサ部２１０および心拍検出回路２２０におけるセンシング動作の開始または停止を制御する。
【００３７】
通信機能部２５０は、センサ部２１０により取得されたセンサデータ、および、心拍検出回路２２０により取得された心拍データをリスト機器１００や情報通信端末４００に転送する際や、リスト機器１００との同期を行う際のインターフェースとして機能する。ここで、通信機能部２５０を介して、リスト機器１００や情報通信端末４００との間で、センサデータや同期信号等を転送または送受信する手法としては、上述したリスト機器１００と同様に、各種の無線通信方式や有線通信方式を適用することができる。
【００３８】
メモリ部２７０は、上述したリスト機器１００と同様に、大別して、センサデータメモリ（センサデータ保存用メモリ）２７１と、プログラムメモリ（プログラム保存用メモリ）２７２と、作業用メモリ（作業データ保存用メモリ）２７３と、を有している。センサデータメモリ２７１は、フラッシュメモリ等の不揮発性メモリを有し、上述したセンサ部２１０や心拍検出回路２２０により取得されたセンサデータ等を、時間データに関連付けて所定の記憶領域に保存する。プログラムメモリ２７２は、ＲＯＭを有し、センサ部２１０や心拍検出回路２２０におけるセンシング動作や、通信機能部２５０におけるデータ転送動作等の、各構成における所定の動作を実行するための制御プログラムを保存する。作業用メモリ２７３は、ＲＡＭを有し、上記制御プログラムを実行する際に使用する各種データや、生成される各種データを一時的に保存する。なお、センサデータメモリ２７１は、上述したリスト機器１００と同様に、その一部または全部がリムーバブル記憶媒体としての形態を有し、チェスト機器２００に対して着脱可能に構成されているものであってもよい。
【００３９】
演算回路２６０は、上述したリスト機器１００と同様に、後述する計時回路２８０において生成される動作クロックに基づいて、上述したプログラムメモリ２７２に保存された所定の制御プログラムを実行する。これにより、演算回路２６０は、センサ部２１０の各種センサ２１１〜２１３や心拍検出回路２２０におけるセンシング動作、通信機能部２５０におけるデータ転送動作等の、各構成における動作を制御する。なお、演算回路２６０において実行される制御プログラムは、予め演算回路２６０の内部に組み込まれているものであってもよい。
【００４０】
計時回路２８０は、基本クロックを生成する発振器を有するＲＴＣモジュールであって、生成した基本クロックに基づいて、チェスト機器２００の各構成の動作タイミングを規定する動作クロックを生成する。また、計時回路２８０は、上述したセンサ部２１０や心拍検出回路２２０におけるセンサデータ等の取得タイミングを計時して時間データとして出力する。これにより、時刻データがセンサデータ等に関連付けられて、センサデータメモリ２７１に保存される。ここで、上述したリスト機器１００から送信される同期信号に基づいて、チェスト機器２００とリスト機器１００との間で、時間データの同期が図られる。このリスト機器１００とチェスト機器２００との間の同期動作は、例えばリスト機器１００とチェスト機器２００において、電源がオンされた起動タイミングや、センサ部１１０、２１０におけるセンシング動作の開始タイミングで実行されるものであってもよい。また、この同期動作は、例えば一定の時間間隔や任意のタイミング、あるいは、常時実行されるものであってもよい。
【００４１】
動作電源２９０は、上述した操作スイッチ２３０が操作されることにより、チェスト機器２００の機器本体２０１内部の各構成に駆動用電力を供給する。動作電源２９０は、一次電池や二次電池を適用することができるほか、環境発電技術による電源等を適用することもできる。なお、チェスト機器２００が、有線通信方式によりセンサデータ等を情報通信端末４００に転送する構成を有している場合には、通信ケーブルを介して接続された情報通信端末４００から駆動用電力が供給されたり、動作電源２９０の二次電池が充電されたりするものであってもよい。
【００４２】
（撮像機器３００）
撮像機器３００は、ユーザＵＳの運動中の姿勢（ランニングフォーム）や走り方の映像を、ハイスピード撮影（高速度撮影）することができるデジタルスチルカメラやデジタルビデオカメラ等の映像（動画像）撮影装置である。本実施形態においては、概ね１秒間に１００フレーム以上（好ましくは２００フレーム）のハイスピード撮影が可能な撮像機器３００を適用する。ここで、撮像機器３００における撮影スピードは、上述したリスト機器１００やチェスト機器２００に設けられた各種のセンサにおける動作周波数（１００Ｈｚ〜２００Ｈｚ；センシングスピード）と等倍または整数倍になるように設定されている。一般に、市販されている撮像機器における映像の撮影スピードは、概ね１秒間に３０フレームまたは６０フレームであるが、近年、１秒間に１００フレーム以上のハイスピード撮影が可能な撮像機器が、安価に市販されるようになってきている。これにより、本発明では、市販の汎用品を適用して、簡易かつ安価にシステムを構築することができる。
【００４３】
撮像機器３００は、具体的には、例えば図２（ｄ）、図５に示すように、撮影部３１０と、レンズ部３２０と、シャッター部３３０と、入力操作部３３５と、表示部３４０と、通信機能部３５０と、演算回路３６０と、メモリ部３７０と、計時回路３８０と、動作電源３９０と、を備えている。ここで、上述したリスト機器１００またはチェスト機器２００と同等の構成については、その説明を簡略化する。
【００４４】
撮影部３１０は、例えば、ＣＣＤ（Charge Coupled Device）やＣＭＯＳ（Complementary  Metal-oxide Semiconductor）等のイメージセンサを有し、後述するレンズ部３２０を構成する各種のレンズを通過した光学像を走査して、所定周期ごとに二次元の画像信号に変換させ、１画面（フレーム）ずつの画像データを生成する。この画像データは、後述する計時回路３８０により規定される時間データに関連付けられて、後述するメモリ部３７０の画像データメモリ３７１の所定の記憶領域に順次保存される。保存された各画像データを時系列的に配列することにより、映像データ（撮影データ）が生成される。
【００４５】
レンズ部３２０は、フォーカスレンズやズームレンズ等の、複数のレンズを有している。ここで、フォーカスレンズを光軸方向に移動させて合焦条件を調整することにより、任意の被写体に合焦する自動合焦処理が実行される。
【００４６】
シャッター部３３０は、後述する入力操作部３３５のシャッターボタンまたは録画ボタンを押下することにより映像（動画像）の撮影を開始し、再度押下することにより撮影を終了する。また、シャッター部３３０は、入力操作部３３５のシャッターボタン等を押下する、ハードウェアによる撮影のほか、リスト機器１００から送信される撮影開始信号および撮影終了信号に基づいて、ソフトウェアにより撮影を行う機能を有している。なお、静止画撮影モードにおいては、シャッターボタン等を押下することにより任意の被写体の静止画が撮影される。
【００４７】
入力操作部３３５は、電源スイッチを有し、ユーザＵＳにより当該電源スイッチが操作されることにより、動作電源３９０から各構成への駆動用電力の供給状態（供給または遮断）を制御して、撮像機器３００の電源のオン、オフを制御する。また、入力操作部３３５は、各種の操作ボタンを有し、例えば、被写体の撮影を指示するためのシャッターボタンや、後述する表示部３４０に表示されるメニュー画面において撮像モードや機能等の選択を指示するためのモードボタン、レンズ部３２０におけるズーム量の調整を指示するためのズームボタン等を備えている。なお、入力操作部３３５は、各種の操作ボタンに加えて、または、操作ボタンに替えて、後述する表示部３４０の前面側（視野側）に設けられたタッチパネルを有するものであってもよい。ここで、タッチパネルにより実現される機能は、上記の操作ボタンにより実現される機能と同等であってもよいし、タッチパネルによる入力操作特有の機能を有していてもよい。
【００４８】
表示部３４０は、例えば液晶方式や発光素子方式の表示パネルを有し、撮影時にレンズ部３２０および撮影部３１０により生成された被写体の画像データに基づくライブビュー画像や、画像データメモリ３７１に保存されている、撮影部３１０により撮影された映像等を表示する。また、表示部３４０は、入力操作部３３５の各種の操作ボタンにより選択指示されるメニュー画面を表示する。
【００４９】
通信機能部３５０は、画像データメモリ３７１に保存されている映像データを、後述する情報通信端末４００に転送する際や、リスト機器１００との同期を行う際、リスト機器１００からの撮影条件設定情報、撮影開始信号、撮影終了信号等を受信する際のインターフェースとして機能する。ここで、通信機能部３５０を介して、リスト機器１００や情報通信端末４００との間で、映像データや同期信号、撮影条件設定情報、撮影開始信号、撮影終了信号等を転送または送受信する手法としては、上述したリスト機器１００と同様に、各種の無線通信方式や有線通信方式を適用することができる。
【００５０】
メモリ部３７０は、大別して、画像データ保存用メモリ（以下、「画像データメモリ」と記す）３７１と、プログラムメモリ（プログラム保存用メモリ）３７２と、作業用メモリ（作業データ保存用メモリ）３７３と、を有している。画像データメモリ３７１は、フラッシュメモリ等の不揮発性メモリを有し、上述した撮影部３１０により撮影された画像データを、時間データに関連付けて所定の記憶領域に順次保存する。ここで、映像の撮影開始から終了までの期間に、各画像データを時間データに関連付けて連続的に保存することにより、各画像データが時系列的に配列された映像データが生成される。また、画像データメモリ３７１は、リスト機器１００から送信された撮影条件の設定情報を所定の記憶領域に保存する。プログラムメモリ３７２は、ＲＯＭを有し、撮影部３１０やレンズ部３２０、シャッター部３３０における撮影動作や、通信機能部３５０におけるデータ転送動作等の、各構成における所定の動作を実行するための制御プログラムを保存する。作業用メモリ２７３は、ＲＡＭを有し、上記制御プログラムを実行する際に使用する各種データや、生成される各種データを一時的に保存する。なお、画像データメモリ３７１は、その一部または全部がメモリカード等のリムーバブル記憶媒体としての形態を有し、撮像機器３００に対して着脱可能に構成されているものであってもよい。
【００５１】
演算回路３６０は、ＣＰＵやＭＰＵ等の演算処理装置であって、計時回路３８０において生成される動作クロックに基づいて、上述したプログラムメモリ３７２に保存された所定の制御プログラムを実行する。これにより、演算回路３６０は、撮影部３１０やレンズ部３２０、シャッター部３３０における撮影動作、通信機能部３５０におけるデータ転送動作等の、各構成における動作を制御する。また、演算回路３６０は、リスト機器１００から送信された撮影条件の設定情報に基づいて、ハイスピード撮影の動作モードを設定する。これにより、各種の撮影条件に基づいてリスト機器１００から送信される撮影開始信号および撮影終了信号に対応して、ハイスピード撮影の開始および終了動作を制御する。なお、演算回路３６０において実行される制御プログラムは、予め演算回路２６０の内部に組み込まれているものであってもよい。
【００５２】
計時回路３８０は、基本クロックを生成する発振器を有するＲＴＣモジュールであって、生成した基本クロックに基づいて、撮像機器３００の各構成の動作タイミングを規定する動作クロックを生成する。また、計時回路３８０は、上述した撮影部３１０やレンズ部３２０、シャッター部３３０における画像データの取得タイミングを計時して時間データとして出力する。これにより、時刻データが画像データに関連付けられて、画像データメモリ３７１に保存される。ここで、上述したリスト機器１００から送信される同期信号に基づいて、撮像機器３００とリスト機器１００との間で、時間データの同期が図られる。このリスト機器１００と撮像機器３００との間の同期動作は、上述したリスト機器１００とチェスト機器２００との同期動作と同様に、電源がオンされた起動タイミングや、撮影部３１０やレンズ部３２０、シャッター部３３０における撮影動作の開始タイミングで実行されるものであってもよい。また、この同期動作は、例えば一定の時間間隔や任意のタイミング、あるいは、常時実行されるものであってもよい。
【００５３】
動作電源３９０は、上述した入力操作部３３５の電源スイッチが操作されることにより、撮像機器３００内部の各構成に駆動用電力を供給する。動作電源３９０は、一次電池や二次電池を適用することができる。なお、撮像機器３００が、有線通信方式により映像データを情報通信端末４００に転送する構成を有している場合には、通信ケーブルを介して接続された情報通信端末４００から駆動用電力が供給されたり、動作電源３９０の二次電池が充電されたりするものであってもよい。
【００５４】
（情報通信端末４００）
情報通信端末４００は、図１に示すように、インターネット等のネットワーク５００への接続機能を備え、閲覧用ソフトウェアであるウェブブラウザが組み込まれたネットワーク通信機器である。情報通信端末４００は、例えばノートブック型やデスクトップ型のパーソナルコンピュータ４０１や高機能携帯電話機（以下、「スマートフォン」と記す）４０２、タブレット端末４０３、もしくは、専用端末（図示を省略）等のネットワーク通信機器が適用される。特に、スマートフォン４０２やタブレット端末４０３等のネットワーク通信機器においては、ネットワーク５００への接続機能やウェブブラウザが標準的に備わっているので、所定の通信可能圏内であれば場所に関わりなく簡易にネットワーク５００に接続することができる。なお、本実施形態において、情報通信端末４００は、後述するユーザ端末８００として適用することができるものである。また、本実施形態において、情報通信端末４００は、センサデータ等や映像データを転送する機能のみを備えるものであってもよく、その場合、例えば図１に示すように、ネットワーク５００に接続されたワイファイ（WiFi（登録商標））通信のアクセスポイント４０４等を適用するものであってもよい。
【００５５】
情報通信端末４００は、具体的には、例えば図６に示すように、概略、入力操作部４３０と、表示部４４０と、通信機能部４５０と、演算回路４６０と、メモリ部４７０と、計時回路４８０と、動作電源４９０と、を備えている。ここで、上述したリスト機器１００やチェスト機器２００と同等の構成については、その説明を簡略化する。
【００５６】
入力操作部４３０は、パーソナルコンピュータ４０１やスマートフォン４０２、タブレット端末４０３等に付設される、キーボードやマウス、タッチパッド、タッチパネル等の入力手段である。入力操作部４３０は、表示部４４０に表示される任意のアイコンやメニューを選択したり、画面表示中の任意の位置を指示したりすることにより、当該アイコンやメニュー、当該位置に対応する機能が実行される。
【００５７】
表示部４４０は、例えば液晶方式や発光素子方式のディスプレイや表示パネルを有し、少なくとも上述したリスト機器１００やチェスト機器２００において取得されたセンサデータ等、および、撮像機器３００において撮影された映像データを、後述するネットワーク５００を介して、ネットワークサーバ６００に転送する際の、通信状態や転送状況を表示する。また、後述するように、情報通信端末４００を、ネットワークサーバ６００において生成された各種の運動情報を閲覧するためのユーザ端末８００として適用する場合には、表示部４４０には、上記センサデータ等や、その分析結果に基づいて生成された各種の分析情報が、後述するループ映像と連携して、数値やグラフ等の形態で表示される。
【００５８】
通信機能部４５０は、リスト機器１００やチェスト機器２００において取得されたセンサデータ等や、撮像機器３００において撮影された映像データを、後述するネットワーク５００を介して、ネットワークサーバ６００に転送する際や、ネットワークサーバ６００において生成された各種の運動情報を受信する際のインターフェースとして機能する。ここで、通信機能部４５０を介して、リスト機器１００やチェスト機器２００、撮像機器３００との間で、センサデータ等や映像データを転送する手法としては、上述したように、各種の無線通信方式や有線通信方式を適用することができる。また、通信機能部４５０によりネットワークサーバ６００にセンサデータ等や映像データを転送する際の、情報通信端末４００とネットワーク５００との接続方法としては、例えば光ファイバー回線網やＡＤＳＬ（非対称デジタル加入者）回線網等を経由して接続する有線接続方式や、携帯電話回線網や高速モバイル通信回線網、無線ＬＡＮ（ローカル・エリア・ネットワーク）等を経由して接続する無線接続方式を適用することができる。
【００５９】
メモリ部４７０は、上述したリスト機器１００やチェスト機器２００と同様に、大別して、転送データメモリ４７１と、プログラムメモリ４７２と、作業用メモリ４７３と、を有している。転送データメモリ４７１は、上述したリスト機器１００やチェスト機器２００から転送されたセンサデータ等や、撮像機器３００から転送された映像データを、相互に関連付けて所定の記憶領域に保存する。プログラムメモリ４７２は、表示部４４０における表示動作や、通信機能部４５０におけるデータ転送動作等の、各構成における所定の動作を実行するための制御プログラムを保存する。作業用メモリ４７３は、上記制御プログラムを実行する際に使用する各種データや、生成される各種データを一時的に保存する。なお、転送データメモリ４７１は、上述したリスト機器１００やチェスト機器２００と同様に、その一部または全部がリムーバブル記憶媒体としての形態を有し、情報通信端末４００に対して着脱可能に構成されているものであってもよい。
【００６０】
演算回路４６０は、計時回路４８０において生成される動作クロックに基づいて、上述したプログラムメモリ４７２に保存された所定の制御プログラムを実行することにより、表示部４４０における表示動作や、通信機能部４５０におけるデータ転送動作等の、各構成における動作を制御する。なお、演算回路４６０において実行される制御プログラムは、予め演算回路４６０の内部に組み込まれているものであってもよい。計時回路４８０は、基本クロックに基づいて、情報通信端末４００の各構成の動作タイミングを規定する動作クロックを生成する。
【００６１】
動作電源４９０は、情報通信端末４００の各構成に駆動用電力を供給する。動作電源４９０は、スマートフォン４０２等のモバイル端末においては、リチウムイオン電池等の二次電池が適用される。また、ノートブック型のパーソナルコンピュータ４０１やタブレット端末４０３においては、リチウムイオン電池等の二次電池や、商用交流電源が適用される。また、デスクトップ型のパーソナルコンピュータにおいては、商用交流電源が適用される。
【００６２】
（ネットワーク５００）
ネットワーク５００は、上述した情報通信端末４００とネットワークサーバ６００との間で、センサデータ等や映像データ、運動情報等の送受信を行うことができるコンピュータネットワークが適用される。ここで、ネットワーク５００は、インターネット等の公衆利用が可能なネットワークであってもよいし、企業や地域、教育機関等の特定の団体による限定的に利用可能なネットワークであってもよい。
【００６３】
（ネットワークサーバ６００）
ネットワークサーバ６００は、少なくとも、後述するデータの分析処理や加工処理の機能を備えたアプリケーションサーバである。また、ネットワークサーバ６００は、情報通信端末４００から転送されたセンサデータ等や映像データ、後述する分析、加工処理において生成された分析情報やループ映像等を保存、蓄積するためのメモリやデータベースを、内部または外部に備えている。ネットワークサーバ６００は、図１に示すように、情報通信端末４００からネットワーク５００を経由して転送されたセンサデータ等を分析、加工処理して、ユーザＵＳの運動状態に関する各種の分析情報を生成する。また、ネットワークサーバ６００は、転送されたセンサデータ等および映像データに基づいて、ユーザＵＳの運動姿勢（ランニングフォーム）や走り方を示すループ映像を生成する。そして、ネットワークサーバ６００は、ユーザ端末８００からの要求（リクエスト）に応じて、センサデータ等や各種の分析情報を、ループ映像に連携させた表示形態で、ユーザ端末８００の表示部に運動情報として表示させる。なお、上述したネットワーク５００およびネットワークサーバ６００により構築されるコンピュータネットワークは、例えば商用のインターネットクラウドサービス等を利用するものであってもよい。
【００６４】
ネットワークサーバ６００は、具体的には、例えば図７に示すように、入力操作部６３０と、表示部６４０と、通信機能部６５０と、演算回路６６０と、メモリ部６７０と、計時回路６８０と、動作電源６９０と、データベース７００と、を備えている。ここで、上述したリスト機器１００やチェスト機器２００、情報通信端末４００と同等の構成については、その説明を簡略化する。
【００６５】
入力操作部６３０は、例えばキーボードやマウス等の入力装置を有し、表示部６４０に表示される任意のアイコンやメニューの選択や、任意の位置の指示に用いられる。表示部６４０は、ディスプレイや表示パネルを有し、ネットワークサーバ６００における各種操作に関連する情報を表示する。
【００６６】
通信機能部６５０は、上述した情報通信端末４００から転送されたセンサデータ等や映像データを受信する際や、ネットワークサーバ６００において生成された分析情報やループ映像を含む各種の運動情報を、ユーザ端末８００に送信する際のインターフェースとして機能する。
【００６７】
メモリ部６７０は、転送データメモリ６７１と、プログラムメモリ６７２と、作業用メモリ６７３と、を有している。転送データメモリ６７１は、フラッシュメモリ等の不揮発性メモリを有し、上述した情報通信端末４００から転送されたセンサデータ等や映像データを保存する。プログラムメモリ６７２は、ＲＯＭを有し、表示部６４０や通信機能部６５０における所定の動作を実行するための制御プログラムや、転送されたセンサデータ等に基づいて所定の分析、加工処理を実行するためのアルゴリズムプログラムを保存する。作業用メモリ６７３は、ＲＡＭを有し、上記制御プログラムやアルゴリズムプログラムを実行する際に使用する各種データや、生成される各種データを一時的に保存する。また、データベース７００は、演算回路６６０においてセンサデータ等を分析、加工処理することにより生成される各種の分析情報や、ユーザＵＳの運動姿勢を示すループ映像を保存、蓄積するとともに、当該分析、加工処理において参照する各種データを保存、蓄積する。ここで、データベース７００は、情報通信端末４００から転送されたセンサデータ等や映像データを、そのまま保存する記憶領域を有するものであってもよい。また、データベース７００は、ネットワークサーバ６００に内蔵されるものであってもよいし、ネットワークサーバ６００に外付け接続、または、ネットワーク５００に直接接続されるものであってもよい。
【００６８】
演算回路６６０は、計時回路６８０において生成される動作クロックに基づいて、プログラムメモリ６７２に保存された所定のアルゴリズムプログラムを実行することにより、転送データメモリ６７１に保存されたセンサデータ等に基づいて、所定の分析、加工処理を実行する。また、演算回路６６０は、転送データメモリ６７１に保存されたセンサデータ等および映像データに基づいて、ユーザＵＳの運動中の姿勢（ランニングフォーム）を示すループ映像を生成する。そして、演算回路６６０は、生成したループ映像をセンサデータ等や分析情報に関連付けて、データベース７００の所定の記憶領域に保存する。また、演算回路６６０は、ユーザＵＳがユーザ端末８００を用いてネットワークサーバ６００にアクセスすることにより、ユーザＵＳの要求に応じたセンサデータ等や分析情報、ループ映像をデータベース７００から適宜読み出し、ループ映像と連携させた所定の表示形態で表示させるためのウェブ表示データを生成する。なお、演算回路６６０において実行される制御プログラムやアルゴリズムプログラムは、予め演算回路６６０の内部に組み込まれているものであってもよい。また、動作電源６９０は、商用交流電源が適用される。
【００６９】
（ユーザ端末８００）
ユーザ端末８００は、上述した情報通信端末４００と同等の構成（図６参照）を有するネットワーク通信機器である。ユーザ端末８００は、ユーザＵＳがネットワークサーバ６００にアクセスすることにより、センサデータ等や各種の分析情報、ループ映像を連携させた所定の表示形態で表示させるためのウェブ表示データを、ネットワーク５００を介して受信して、ウェブブラウザにより表示する。これにより、ユーザＵＳは、ランニング等の運動中に検出されたセンサデータ等や各種の分析情報を、実際の運動時の映像に連携させた表示形態で閲覧することができ、自己の運動状態の特徴を的確に把握、分析して、その後の運動方法の改善等に反映させることができる。なお、ユーザ端末８００は、図１に示すように、センサデータ等のネットワークサーバ６００への転送に用いた情報通信端末４００を適用するものであってもよいし、当該情報通信端末４００とは別のネットワーク通信機器を適用するものであってもよい。後者の構成においては、例えばパーソナルコンピュータ４０１を用いてセンサデータ等がネットワークサーバ６００に転送され、例えばスマートフォン４０２やタブレット端末４０３を用いて、ネットワークサーバ６００にアクセスすることにより、ループ映像とともにセンサデータ等や各種の分析情報が閲覧される。なお、ユーザ端末８００の表示部における運動情報の表示例（センサデータ等や分析情報とループ映像の連携表示）については、詳しく後述する。
【００７０】
＜撮影システムの制御方法＞
次に、本実施形態に係る撮影システムにおける制御方法（撮影制御処理）について、図面を参照して説明する。ここでは、本実施形態に係る撮影システムによるセンサデータや映像データの取得から、各種分析情報およびループ映像の生成、運動情報の表示に至るまでの一連の運動支援方法について説明する。
【００７１】
図８は、本実施形態に係る撮影システムにおけるハイスピード撮影の手法を示す概略図である。ここで、図８（ａ）は、トレッドミルを利用した撮影方法を示す概略図であり、図８（ｂ）は、撮像機器３００の前を走り抜ける撮影方法を示す概略図である。図９は、本実施形態に係る撮影システムにおける制御方法を含む運動支援方法の一例を示すフローチャートである。
【００７２】
まず、本実施形態に係る撮影システムにおけるハイスピード撮影の手法について簡単に説明する。
本実施形態においては、例えば図８（ａ）に示すように、ユーザＵＳがトレッドミル９００を利用してランニングを行う場合には、例えばユーザＵＳの側方と後方に撮像機器３００を配置して、ランニング中の運動姿勢（ランニングフォーム）や走り方の映像をハイスピード撮影する。ここで、撮像機器３００の配置は、ユーザＵＳの運動姿勢や走り方の映像を異なる２方向から撮影することができる位置であれば、前方と側方、側方と上方、側方と下方等であってもよい。
【００７３】
また、本実施形態においては、例えば図８（ｂ）に示すように、ユーザＵＳが屋外等でランニングを行う場合には、三脚等により撮影範囲が固定された撮像機器３００の前（撮影範囲または視野）をユーザＵＳが走り抜けるようにして、ランニング中の運動姿勢や走り方の映像を、ユーザＵＳの側方からハイスピード撮影する。
【００７４】
これらの手法により、ユーザＵＳが指示した撮影開始時点から撮影終了時点までの期間中の映像データが取得され、時間データに関連付けて画像データメモリ３７１の所定の記憶領域に保存される。なお、ハイスピード撮影の開始および終了を規定する撮影条件については後述する。
【００７５】
本実施形態に係る撮影システムの制御方法を含む運動支援方法においては、図９に示すフローチャートのように、大別して、センシング・データ収集手順（ステップＳ１０１〜Ｓ１０９）と、データ分析・加工処理手順（ステップＳ１１０、Ｓ１１１）と、データ閲覧・活用手順（ステップＳ１１２、Ｓ１１３）と、が順次実行される。ここで、センシング・データ収集手順における撮影制御処理は、リスト機器１００の演算回路１６０において実行される所定のアルゴリズムプログラムに基づいて実現され、また、データ分析・加工処理手順における各種の分析処理やループ映像生成処理は、ネットワークサーバ６００の演算回路６６０において実行される所定のアルゴリズムプログラムに基づいて実現される。
【００７６】
センシング・データ収集手順においては、図９に示すように、まず、ユーザＵＳが身体に装着したリスト機器１００やチェスト機器２００の電源スイッチを操作して、リスト機器１００やチェスト機器２００を起動させる。また、ユーザＵＳが撮像機器３００の電源スイッチを操作して、撮像機器３００を起動させる。これにより、リスト機器１００とチェスト機器２００および撮像機器３００の間で、例えばブルートゥース（Bluetooth（登録商標））通信を用いて、同期信号が送受信されて、それぞれの動作クロックの同期が行われる（ステップＳ１０１）。
【００７７】
次いで、ユーザＵＳのランニング開始と同時に、または、ランニング開始前後の任意のタイミングで（ステップＳ１０２）、撮像機器３００におけるハイスピード撮影が開始される（ステップＳ１０３）。また、このとき、ユーザＵＳがリスト機器１００およびチェスト機器２００を操作することによりセンシング動作が開始される。撮像機器３００によるハイスピード撮影、および、リスト機器１００およびチェスト機器２００によるセンシング動作は、ユーザＵＳのランニング終了と同時に、または、ランニング終了前後の任意のタイミングで（ステップＳ１０７）、撮像機器３００におけるハイスピード撮影が終了され（ステップＳ１０６）、または、ユーザＵＳがリスト機器１００およびチェスト機器２００を操作して終了させるまで継続される。これにより、ユーザＵＳのランニング中の姿勢や走り方を示す映像データが収集されるとともに、ランニング中の動作状態や生体情報を示すセンサデータ等が収集される（ステップＳ１０４）。
【００７８】
ここで、図８（ａ）に示したように、ユーザＵＳがトレッドミル９００を利用してランニングを行う場合には、例えばユーザＵＳの側方と後方に配置された撮像機器３００により、ランニング中の運動姿勢（ランニングフォーム）や走り方を示す映像データが取得されて、画像データメモリ３７１の所定の記憶領域に保存される。また、図８（ｂ）に示したように、ユーザＵＳが屋外等でランニングを行う場合には、ユーザＵＳが撮像機器３００の前（撮影範囲または視野）を走り抜けるように配置された撮像機器３００により、ランニング中の運動姿勢や走り方を示す映像データが取得されて、画像データメモリ３７１の所定の記憶領域に保存される。
【００７９】
また、このランニング中に、図２（ａ）、図３に示したように、ユーザＵＳが手首に装着したリスト機器１００において、センサ部１１０によりランニング等の運動中の加速度データや角速度データ、地磁気データを含むセンサデータが検出される。また、屋外での移動を伴うランニングの場合には、ＧＰＳ受信回路１２０により位置データや移動速度データを含むＧＰＳデータが検出される。これらのセンサデータおよびＧＰＳデータは、それぞれ時間データに関連付けてセンサデータメモリ１７１の所定の記憶領域に保存される。
【００８０】
また、図２（ａ）、図４に示したように、ユーザＵＳが胸部に装着したチェスト機器２００において、センサ部２１０により運動中の加速度データや角速度データ、地磁気データを含むセンサデータが検出される。また、心拍検出回路２２０により心拍データが取得される。これらのセンサデータおよび心拍データは、それぞれ時間データに関連付けてセンサデータメモリ２７１の所定の記憶領域に保存される。
【００８１】
上述したリスト機器１００およびチェスト機器２００により取得されるセンサデータ等と、撮像機器３００により取得される映像データは、それぞれ、リスト機器１００、チェスト機器２００および撮像機器３００の起動時等に同期された動作クロックに基づいて生成された時間データに関連付けられている。したがって、センサデータ等と映像データは、略同期した状態で保存される。
【００８２】
さらに、例えばリスト機器１００において、演算回路１６０により時間データと位置データに基づいて、移動速度（ペース）が算出される。また、例えばチェスト機器２００において、演算回路２６０により時間データ、心拍データ、ユーザＵＳの体重や年齢等に基づいて、カロリー消費量が算出される。これらの移動速度やカロリー消費量等の各種情報は、それぞれ時間データに関連付けてセンサデータメモリ１７１、２７１の所定の記憶領域に保存される。そして、運動中に収集されたセンサデータやＧＰＳデータ、心拍データ、あるいは、これらのセンサデータ等に基づいて算出される各種情報は、例えばリスト機器１００の表示部１４１にリアルタイムに表示されてユーザＵＳに提供される。ここで、チェスト機器２００により取得されたセンサデータや心拍データは、通信機能部２５０により、例えばブルートゥース（Bluetooth（登録商標））通信を用いて常時、または、所定の時間間隔で、リスト機器１００に送信されて表示部１４１に表示される（リアルタイムデータ処理；ステップＳ１０５）。
【００８３】
ここで、上述したセンシング・データ収集手順において実行される撮影制御処理（ステップＳ１０２、Ｓ１０３、Ｓ１０６、Ｓ１０７）において、ハイスピード撮影の開始および終了を規定する撮影条件と、その撮影方法について具体的に説明する。
【００８４】
まず、撮像機器３００におけるハイスピード撮影の一般的な撮影方法について説明する。一般的な撮影方法においては、まず、ユーザＵＳがランニングを行う前に、ユーザＵＳ自らあるいは撮影の補助者等が、撮像機器３００に付設された入力操作部３３５のシャッターボタン等を操作（撮影開始操作）して、ハイスピード撮影を開始する。その後、図８（ａ）に示したように、トレッドミル９００を利用して一定時間ランニングを行うことにより、あるいは、図８（ｂ）に示したように、撮像機器３００の前を走り抜けることにより、ランニング中の映像を撮影する。そして、トレッドミル９００でのランニングを終了した後、あるいは、撮像機器３００の前を走り抜けた後、ユーザＵＳや補助者が撮像機器３００のシャッターボタン等を操作（撮影終了操作）して、ハイスピード撮影を終了する。このような撮影方法においては、ランニング中の映像を確実に撮影することができるものの、ユーザＵＳ自らあるいは補助者等が撮像機器３００のシャッターボタン等を直接操作しなければならず、撮影自体が煩雑であるという問題を有している。また、ランニング時の映像（すなわち、ランニング開始時点から終了時点までの映像）の前後に不要な映像が撮影されているため、ランニング時の映像のみを抽出する作業が繁雑であるという問題や、取得した映像データが全てハイスピード撮影によるものであるため、映像データが膨大な容量になるという問題を有している。
【００８５】
そこで、本実施形態においては、以下に示すような各種の撮影方法を適用する。これによれば、効率的かつ的確に所望のランニング時の映像を取得することができる。
図１０は、本実施形態に係る撮影制御処理に適用される撮影方法を実現する際の、機器間の連携状況を示す概略図である。
【００８６】
本実施形態においては、以下に示す各種の撮影方法を実現するために、図１０に示すように、少なくとも、リスト機器１００において、時刻同期のための同期信号が生成されて、例えばブルートゥース（Bluetooth（登録商標））通信を用いて、チェスト機器２００や撮像機器３００に送信される。これにより、チェスト機器２００や撮像機器３００おいて取得されるセンサデータ等や映像データに関連付けられる時間データが同期される。また、リスト機器１００において、以下に示す各種の撮影方法に用いる撮影条件が設定されて、当該撮影条件の設定情報が、例えばブルートゥース（Bluetooth（登録商標））通信を用いて、撮像機器３００に送信される。これにより、撮像機器３００おいて上記の撮影条件に応じたハイスピード撮影の動作モードが設定される。さらに、リスト機器１００において、各種の撮影方法に用いる撮影条件に合致する状態を検出した場合に、撮像機器３００におけるハイスピード撮影の開始および終了を指示する撮影開始信号および撮影終了信号が、例えばブルートゥース（Bluetooth（登録商標））通信を用いて、撮像機器３００に送信される。これにより、撮像機器３００おいてハイスピード撮影の開始および終了が制御される。また、チェスト機器２００において取得されたセンサデータや心拍データが、常時、または、所定の時間間隔でリスト機器１００に送信される。なお、以下に示す各種の撮影方法においては、リスト機器１００から撮像機器３００に送信される撮影開始信号および撮影終了信号を必要としない場合もある。詳しくは各撮影方法において説明する。
【００８７】
図１１は、本実施形態に係る撮影制御処理における撮影方法の第１の例を示す概略図である。図１２は、本実施形態に係る撮影制御処理における撮影方法の第２の例を示す概略図である。図１３は、本実施形態に係る撮影制御処理における撮影方法の第３の例を示す概略図である。図１４は、本実施形態に係る撮影制御処理における撮影方法の第４〜第７の例を示す概略図である。図１５は、本実施形態に係る撮影制御処理における撮影方法の第８〜第１１の例を示す概略図である。図１６は、本実施形態に係る撮影制御処理における撮影方法の第１２の例を示す概略図である。
【００８８】
本実施形態に適用される撮影方法の第１の例は、例えば図１１（ａ）に示すように、ユーザＵＳが撮像機器３００の前（撮影範囲ＦＲまたは視野）を走り抜けるようにして、ランニング中の運動姿勢や走り方の映像をハイスピード撮影する。具体的には、予めリスト機器１００において、撮影条件を設定して、その設定情報を撮像機器３００に送信して、撮像機器３００の動作モードを設定する。そして、撮影準備状態（または待機状態）に設定された撮像機器３００の前を横切るようにランニングして、図１１（ｂ）に示すように、ユーザＵＳが撮像機器３００の撮影範囲ＦＲに入った時点（フレームイン）でハイスピード撮影を開始し、図１１（ｄ）に示すように、ユーザＵＳが撮影範囲ＦＲから出た時点（フレームアウト）でハイスピード撮影を終了して、撮影準備状態（または待機状態）に移行する。このような撮影方法は、例えば一部の市販の撮像機器に組み込まれている動体検知機能を適用することにより実現することができる。
【００８９】
これにより、図１１（ｂ）〜（ｄ）に示すように、ユーザＵＳが撮影範囲ＦＲ内をランニングしている期間中の映像データのみが取得され、時間データに関連付けて画像データメモリ３７１の所定の記憶領域に保存される。ここで、ユーザＵＳが撮像機器３００の前を走り抜ける映像を撮影する場合には、撮影範囲ＦＲ内に概ね３歩〜５歩の映像が撮影されるように撮像機器３００の設置位置やレンズ部３２０におけるズーム量を調整することが好ましい。このような撮影方法は、例えば屋外等で周回コースを何周も走る際の、運動姿勢や走り方の映像を撮影するときに特に適している。
【００９０】
本実施形態に適用される撮影方法の第２の例は、図８（ａ）、（ｂ）に示したように、ユーザＵＳがトレッドミル９００を利用して、あるいは、撮像機器３００の前を走り抜けるようにして、ランニング中の映像をハイスピード撮影する。具体的には、後者の場合、予めリスト機器１００において、撮影条件を設定して、その設定情報を撮像機器３００に送信して、撮像機器３００の動作モードを設定する。そして、撮影準備状態（または待機状態）に設定された撮像機器３００の前を横切るようにランニングする際に、例えば図１２（ａ）に示すように、ユーザＵＳが撮像機器３００の撮影範囲ＦＲに入る時点（フレームイン）の前後で、リスト機器１００の入力インターフェース部１３０を操作して、撮像機器３００に撮影開始信号を送信してハイスピード撮影を開始する。そして、例えば図１２（ｂ）に示すように、ユーザＵＳが撮影範囲ＦＲから出た時点（フレームアウト）の前後で、再びリスト機器１００の入力インターフェース部１３０を操作して、撮像機器３００に撮影終了信号を送信してハイスピード撮影を終了して、撮影準備状態（または待機状態）に移行する。このような撮影方法は、例えば一部の市販の撮像機器に組み込まれているブルートゥース（Bluetooth（登録商標））通信やワイファイ（WiFi（登録商標））通信を用いたリモートコントロール機能を適用することにより実現することができる。
【００９１】
これにより、図１２（ａ）、（ｂ）に示すように、ユーザＵＳが概ね撮影範囲内をランニングしている期間中の映像データのみが取得され、時間データに関連付けて画像データメモリ３７１の所定の記憶領域に保存される。なお、トレッドミル９００を利用する場合には、ユーザＵＳは、ランニング中の任意のタイミングでリスト機器１００の入力インターフェース部１３０を操作して、撮像機器３００に撮影開始信号および撮影終了信号を送信することにより、ランニング中の映像が撮影される。
【００９２】
本実施形態に適用される撮影方法の第３の例は、予めリスト機器１００において、ユーザＵＳのランニング中の動作状態に基づく撮影条件を設定して、その設定情報を撮像機器３００に送信して、撮像機器３００の動作モードを設定する。そして、例えば図１３（ａ）に示すように、トレッドミル９００を利用してユーザＵＳがランニングを開始し、ランニング中にチェスト機器２００により検出されたセンサデータに基づいて、リスト機器１００においてユーザＵＳの動作状態を常時監視する。ここでは、ユーザＵＳがランニング状態にあるかウォーキング状態にあるかを判定する指標として、チェスト機器２００により検出された上下方向の加速度データ（信号波形の振幅、極値間隔等）を監視する。そして、例えば図１３（ｂ）に示すように、チェスト機器２００により検出された上下方向の加速データの信号波形が予め設定された振幅や極値間隔等を有し、ユーザＵＳがランニング状態にある（あるいは、ランニング状態に達した）と判定した場合には、リスト機器１００から撮像機器３００に撮影開始信号を送信してハイスピード撮影を開始する。そして、検出された上下方向の加速データの信号波形が予め設定された振幅や極値間隔等を有さず、ユーザＵＳがランニングを止めて、例えば歩いている（ウォーキング）状態や立ち止まった状態にあると判定した場合等には、リスト機器１００から撮像機器３００に撮影終了信号を送信してハイスピード撮影を終了して、撮影準備状態（または待機状態）に移行する。これにより、ユーザＵＳの動作状態が安定したランニング状態にある期間中の映像データのみが取得され、時間データに関連付けて画像データメモリ３７１の所定の記憶領域に保存される。
【００９３】
本実施形態に適用される撮影方法の第４〜第７の例は、予めリスト機器１００において、ユーザＵＳのランニング中の心拍数に基づく撮影条件を設定して、その設定情報を撮像機器３００に送信して、撮像機器３００の動作モードを設定する。そして、図１３に示したように、トレッドミル９００を利用してユーザＵＳがランニングを開始し、ランニング中にチェスト機器２００により検出された心拍データに基づいて、リスト機器１００においてユーザＵＳの心拍数を常時監視する。そして、ユーザＵＳの心拍数が予め設定された状態にあると判定した場合には、リスト機器１００から撮像機器３００に撮影開始信号を送信してハイスピード撮影を開始する。そして、ユーザＵＳの心拍数が予め設定された状態にないと判定した場合には、リスト機器１００から撮像機器３００に撮影終了信号を送信してハイスピード撮影を終了して、撮影準備状態（または待機状態）に移行する。
【００９４】
具体的には、撮影方法の第４の例では、例えば図１４（ａ）、（ｂ）に示すように、ユーザＵＳの心拍数が予め設定された心拍数の範囲（下限値ＨＲａ〜上限値ＨＲｂ）内にある場合に、撮像機器３００に撮影開始信号を送信してハイスピード撮影を開始し、ユーザＵＳの心拍数が上記の範囲を逸脱した場合には、撮像機器３００に撮影終了信号を送信してハイスピード撮影を終了する。
【００９５】
また、撮影方法の第５の例では、例えば図１４（ｃ）に示すように、ユーザＵＳの心拍数が予め設定された心拍数の範囲（下限値ＨＲａ〜上限値ＨＲｂ）を逸脱した場合に、撮像機器３００に撮影開始信号を送信してハイスピード撮影を開始し、ユーザＵＳの心拍数が上記の範囲内にある場合には、撮像機器３００に撮影終了信号を送信してハイスピード撮影を終了する。
【００９６】
また、撮影方法の第６の例では、例えば図１４（ｄ）に示すように、ユーザＵＳの心拍数が予め設定された心拍数の基準値（しきい値ＨＲｔ）を上回った場合に、撮像機器３００に撮影開始信号を送信してハイスピード撮影を開始し、ユーザＵＳの心拍数が上記の基準値を下回った場合には、撮像機器３００に撮影終了信号を送信してハイスピード撮影を終了する。
【００９７】
また、撮影方法の第７の例では、例えば図１４（ｅ）に示すように、ユーザＵＳの心拍数が予め設定された心拍数の基準値（しきい値ＨＲｔ）を下回った場合に、撮像機器３００に撮影開始信号を送信してハイスピード撮影を開始し、ユーザＵＳの心拍数が上記の基準値を上回った場合には、撮像機器３００に撮影終了信号を送信してハイスピード撮影を終了する。
【００９８】
これにより、ユーザＵＳの心拍数が基準値に対して特定の関係にある期間中、または、特定の数値範囲にある期間中の映像データのみが取得され、時間データに関連付けて画像データメモリ３７１の所定の記憶領域に保存される。なお、チェスト機器２００により検出される心拍データは、本来の心拍に起因する信号成分に加え、様々なノイズ成分が混入することが知られているが、検出値を時間平均することにより、短時間（例えば１秒程度）の急激な変化を除外することができ、心拍数を比較的正確に算出することができる。
【００９９】
本実施形態に適用される撮影方法の第８〜第１１の例は、予めリスト機器１００において、ユーザＵＳのランニング中の姿勢に関連するセンサデータ等に基づく撮影条件を設定して、その設定情報を撮像機器３００に送信して、撮像機器３００の動作モードを設定する。そして、図１３に示したように、トレッドミル９００を利用してユーザＵＳがランニングを開始し、ランニング中にリスト機器１００やチェスト機器２００により検出された加速度データや角速度データ等の、ユーザＵＳのランニング中の姿勢に関連するセンサデータ等に基づいて、リスト機器１００においてユーザＵＳのセンサデータを常時監視する。そして、検出されたセンサデータが予め設定された状態にあると判定した場合には、リスト機器１００から撮像機器３００に撮影開始信号を送信してハイスピード撮影を開始する。そして、検出されたセンサデータが予め設定された状態にないと判定した場合には、リスト機器１００から撮像機器３００に撮影終了信号を送信してハイスピード撮影を終了して、撮影準備状態（または待機状態）に移行する。
【０１００】
具体的には、撮影方法の第８の例では、例えば図１５（ａ）に示すように、チェスト機器２００により検出された上下方向の加速データ（信号波形の極大値および極小値、または、振幅）が予め設定された加速度の範囲（下限値ＡＣａ〜上限値ＡＣｂ）内にある場合に、撮像機器３００に撮影開始信号を送信してハイスピード撮影を開始し、検出された上下方向の加速データが上記の範囲を逸脱した場合には、撮像機器３００に撮影終了信号を送信してハイスピード撮影を終了する。このような撮影方法は、運動姿勢が安定したときの映像を撮影するときに適している。
【０１０１】
また、撮影方法の第９の例では、例えば図１５（ｂ）に示すように、チェスト機器２００により検出された上下方向の加速データ（信号波形の極大値および極小値、または、振幅）が予め設定された加速度の範囲（下限値ＡＣａ〜上限値ＡＣｂ）を逸脱した場合に、撮像機器３００に撮影開始信号を送信してハイスピード撮影を開始し、検出された上下方向の加速データが上記の範囲内にある場合には、撮像機器３００に撮影終了信号を送信してハイスピード撮影を終了する。このような撮影方法は、運動姿勢が乱れたときの映像を撮影するときに適している。
【０１０２】
また、撮影方法の第１０の例では、例えば図１５（ｃ）に示すように、チェスト機器２００により検出された上下方向の加速データ（信号波形の極大値および極小値）が予め設定された加速度の基準値（しきい値ＡＣｔ）を上回った場合に、撮像機器３００に撮影開始信号を送信してハイスピード撮影を開始し、検出された上下方向の加速データが上記の基準値を下回った場合には、撮像機器３００に撮影終了信号を送信してハイスピード撮影を終了する。
【０１０３】
また、撮影方法の第１１の例では、例えば図１５（ｄ）に示すように、チェスト機器２００により検出された上下方向の加速データ（信号波形の極大値および極小値）が予め設定された加速度の基準値（しきい値ＡＣｔ）を下回った場合に、撮像機器３００に撮影開始信号を送信してハイスピード撮影を開始し、検出された上下方向の加速データが上記の基準値を上回った場合には、撮像機器３００に撮影終了信号を送信してハイスピード撮影を終了する。
【０１０４】
これにより、リスト機器１００やチェスト機器２００により検出されたセンサデータ等が基準値に対して特定の関係にある期間中、または、特定の数値範囲にある期間中の映像データのみが取得され、時間データに関連付けて画像データメモリ３７１の所定の記憶領域に保存される。なお、撮影方法の第８〜第１１の例において、撮影条件に適用される、ユーザＵＳのランニング中の姿勢に関連するセンサデータ等については、上述した加速度データのみに限らず、複数の異なるセンサデータ等を併用するものであってもよい。また、姿勢に関連するセンサデータ等については、後述する運動姿勢に関わる各種の分析処理において詳しく説明する。
【０１０５】
本実施形態に適用される撮影方法の第１２の例は、図１６に示すように、ユーザＵＳがトレッドミル９００を利用して、ランニング中の映像をハイスピード撮影する。この例では、少なくとも、トレッドミル９００が例えばブルートゥース（Bluetooth（登録商標））通信を用いて、リスト機器１００との間で同期信号や現在のランニング速度を示す速度データを送受信する機能を有している。
【０１０６】
撮影方法の第１２の例は、予めリスト機器１００において、トレッドミル９００におけるランニング速度に基づく撮影条件を設定して、その設定情報を撮像機器３００に送信して、撮像機器３００の動作モードを設定する。そして、例えば図１６に示すように、トレッドミル９００を利用してユーザＵＳがランニングを開始し、ランニング中にトレッドミル９００に設定された速度データをリスト機器１００に送信して、リスト機器１００において常時監視する。そして、ユーザＵＳがランニング中にトレッドミル９００を操作して設定したランニング速度が予め設定された状態にあると判定した場合には、リスト機器１００から撮像機器３００に撮影開始信号を送信してハイスピード撮影を開始する。そして、設定したランニング速度が予め設定された状態にないと判定した場合には、リスト機器１００から撮像機器３００に撮影終了信号を送信してハイスピード撮影を終了して、撮影準備状態（または待機状態）に移行する。
【０１０７】
具体的には、撮影方法の第１２の例では、トレッドミル９００に設定されたランニング速度が予め設定された速度の基準値（しきい値）を上回った場合に、撮像機器３００に撮影開始信号を送信してハイスピード撮影を開始し、ランニング速度が上記の基準値を下回った場合には、撮像機器３００に撮影終了信号を送信してハイスピード撮影を終了する。これにより、ユーザＵＳのランニング速度がランニング状態に対応する数値または数値範囲にある期間中の映像データのみが取得され、時間データに関連付けて画像データメモリ３７１の所定の記憶領域に保存される。
【０１０８】
本実施形態に適用される撮影方法の第１３の例は、図１６に示すように、ユーザＵＳがトレッドミル９００を利用して、ランニング中の映像をハイスピード撮影する。この例では、少なくとも、撮像機器３００がハイスピード撮影の開始タイミングと終了タイミングを任意に設定することができるタイマー機能を有している。
【０１０９】
撮影方法の第１３の例は、予めリスト機器１００において、撮像機器３００への撮影開始指示からの経過時間に基づく撮影条件を設定して、その設定情報を撮像機器３００に送信して、撮像機器３００の動作モードを設定する。そして、例えば図８（ａ）に示したように、撮像機器３００の入力操作部３３５を操作して、撮像機器３００を起動し、あるいは、撮影開始予定を指示し、その後、トレッドミル９００を利用してユーザＵＳがランニングを開始する。そして、撮像機器３００において、起動時点から、あるいは、撮影開始予定を指示した時点から予め設定された時間が経過した場合、あるいは、予め設定した撮影開始時刻が到来した場合には、ハイスピード撮影を開始する。そして、撮像機器３００において、予め設定した撮影時間が経過した場合、あるいは、予め設定した撮影終了時刻が到来した場合には、ハイスピード撮影を終了する。
【０１１０】
これにより、ユーザＵＳがランニングを開始してから特定の時間が経過して、安定したランニング状態にあると推測される期間中の映像データのみが取得され、時間データに関連付けて画像データメモリ３７１の所定の記憶領域に保存される。なお、撮影条件として設定される撮影開始時刻および撮影終了時刻は、複数設定できるものであってもよく、この場合は、各撮影期間が終了後、撮影準備状態（または待機状態）に移行する。また、撮影開始予定の指示や撮影開始までの時間、撮影時間、撮影開始時刻、撮影終了時刻は、撮像機器３００本体で直接設定するものであってもよいし、リスト機器１００においてこれらを設定して、撮影条件設定情報として撮像機器３００に送信して、撮像機器３００に設定するものであってもよい。
【０１１１】
なお、上述した各種の撮影方法においては、個別に撮影条件を設定して、ハイスピード撮影の開始および終了を制御する場合について説明したが、複数の異なる撮影方法（撮影条件）を任意に組み合わせて、撮影の開始および終了を制御するものであってもよい。
【０１１２】
また、上述した各種の撮影方法においては、センサデータ等に基づく撮影条件を設定して、ハイスピード撮影の開始および終了を制御することにより、所望のランニング状態の運動姿勢を示す映像データのみを取得して保存する場合について説明した。本発明はこれに限定されるものではなく、ランニング時の映像データのみを容易に抽出できるものであれば、他の撮影方法を適用するものであってもよい。例えば、上述した一般的な撮影方法のように、ランニング開始前にユーザが自ら、撮像機器３００の入力操作部３３５のシャッターボタン等を操作して撮影を開始し、ランニング終了後にシャッターボタン等を操作して撮影を終了する手法において、上述した各種の撮影方法を併用して、撮影中に所定の撮影条件が満たされた場合に、映像データ中に区切りを示すタグを付加するものであってもよい。これにより、ランニング時に取得した映像データから、タグに基づいて所望の撮影条件を満たす映像データのみを容易に抽出することができる。
【０１１３】
次に、上述した各種（第１、第２の例を除く）の撮影方法を適用した撮影制御処理について説明する。
図１７は、本実施形態に係る撮影システムに適用される撮影制御処理の一例を示すフローチャートである。ここで、図１７に示すフローチャートにおいて、ステップＳ１２３〜Ｓ１２７の処理は図９に示したフローチャートのステップＳ１０２、Ｓ１０３に対応し、また、ステップＳ１２８〜Ｓ１３３の処理は図９に示したフローチャートのステップＳ１０６、Ｓ１０７に対応する。
【０１１４】
上述した各種の撮影方法を適用した撮影制御処理は、まず、リスト機器１００において、撮像機器３００におけるハイスピード撮影の開始および終了を規定する撮影条件を設定する（ステップＳ１２１）。ここでは、上述した各種の撮影方法に示した撮影条件が、単独で、あるいは、異なる複数の撮影条件を任意に組み合わせて、リスト機器１００に設定される。なお、撮影条件の設定は、リスト機器１００と例えばブルートゥース（Bluetooth（登録商標））通信を用いてデータや情報の送受信が可能なスマートフォンやタブレット端末、パーソナルコンピュータ等を用いて、予めインストールされた専用のアプリケーションソフトウェア上で複雑な撮影条件を設定した後、リスト機器１００に撮影条件に関する設定情報を送信するものであってもよい。
【０１１５】
次いで、図１０に示したように、リスト機器１００からチェスト機器２００および撮像機器３００に同期信号を送信して、リスト機器１００とチェスト機器２００と撮像機器３００との間で時刻同期を行う（ステップＳ１２２）。このとき同時に、リスト機器１００から撮像機器３００に撮影条件設定情報を送信して、撮像機器３００におけるハイスピード撮影の動作モードを設定する。
【０１１６】
次いで、撮像機器３００を所定の撮影位置に設置して撮影準備状態に設定した後、ユーザＵＳはリスト機器１００やチェスト機器２００を身体の所定の位置に装着して、例えば図８（ａ）、図１３（ａ）、図１６に示したように、トレッドミル９００等を利用してランニングを開始する（ステップＳ１２３）。
【０１１７】
次いで、チェスト機器２００において取得されたセンサデータ等が、例えばブルートゥース（Bluetooth（登録商標））通信を用いてリスト機器１００に送信され、リスト機器１００の演算回路１６０において、リスト機器１００やチェスト機器２００において取得されたセンサデータ等が監視されて（ステップＳ１２４）、ステップＳ１２１により設定された撮影条件の、ハイスピード撮影の開始条件と合致するか否かが判定される（ステップＳ１２５）。なお、上述した各種の撮影方法において、撮影条件がセンサデータ等に関連しない、あるいは、センサデータ等を使用しない場合には、当該撮影条件に対応する状態（例えばトレッドミル９００からの速度データや経過時間）が監視されて、設定された撮影条件（撮影開始条件）と合致するか否かが判定される。
【０１１８】
ステップＳ１２５において、監視対象になっているセンサデータ等や状態が、撮影開始条件に合致すると判定された場合には、演算回路１６０は、例えばブルートゥース（Bluetooth（登録商標））通信を用いて撮像機器３００に撮影開始信号を送信する（ステップＳ１２６）。リスト機器１００から撮影開始信号を受信した撮像機器３００は、ハイスピード撮影を開始して（ステップＳ１２７）、ランニング状態のユーザＵＳの姿勢や走り方を示す映像データが取得され、時間データに関連付けて画像データメモリ３７１の所定の記憶領域に保存される。一方、ステップＳ１２５において、監視対象になっているセンサデータ等や状態が、撮影開始条件に合致しないと判定された場合には、ステップＳ１２４に戻って、センサデータ等や状態の監視が継続される。
【０１１９】
リスト機器１００の演算回路１６０は、上記のランニング状態のユーザＵＳのハイスピード撮影中にも、監視対象になっているセンサデータ等や状態を監視し（ステップＳ１２８）、ステップＳ１２１により設定された撮影条件の、ハイスピード撮影の終了条件と合致するか否かを判定する（ステップＳ１２９）。
【０１２０】
ステップＳ１２９において、監視対象になっているセンサデータ等や状態が、撮影終了条件に合致すると判定された場合には、演算回路１６０は、例えばブルートゥース（Bluetooth（登録商標））通信を用いて撮像機器３００に撮影終了信号を送信する（ステップＳ１３０）。リスト機器１００から撮影終了信号を受信した撮像機器３００は、ハイスピード撮影を終了して（ステップＳ１３１）、撮影準備状態（または待機状態）に移行する。一方、ステップＳ１２９において、監視対象になっているセンサデータ等や状態が、撮影終了条件に合致しないと判定された場合には、ステップＳ１２８に戻って、センサデータ等や状態の監視が継続される。
【０１２１】
そして、撮像機器３００の撮影準備状態（または待機状態）を継続する場合（ステップＳ１３２）には、ステップＳ１２４に戻って、リスト機器１００におけるセンサデータや状態の監視を行い、上述した一連の撮影制御処理（ステップＳ１２４〜Ｓ１３２）を繰り返し実行する。一方、ステップＳ１３２において、撮像機器３００の入力操作部３３５の電源スイッチにより電源がオフされた場合や、撮像機器３００におけるハイスピード撮影の動作モードが解除された場合には、撮像機器３００の撮影準備状態（または待機状態）を中断し、ユーザＵＳのランニング終了後（ステップＳ１３３）、一連の撮影制御処理（ステップＳ１２１〜Ｓ１３３）を終了する。
【０１２２】
このような撮影制御処理においては、運動姿勢（ランニングフォーム）を示す映像データをハイスピード撮影により取得する際に、センサデータ等に基づく撮影条件を設定して撮像機器３００における撮影開始および終了操作を制御することにより、所望のランニング状態にある期間の映像データのみが取得されて保存される。したがって、運動中のユーザの実際の運動姿勢等を簡易かつ的確に撮影することができる。また、不要な映像データが保存されないので、映像データのデータ容量を大幅に削減することができる。また、取得した映像データをそのまま、後述するループ映像の生成処理に適用することができるので、演算回路における処理負担を軽減できるとともに、処理速度を向上させることができる。さらに、リスト機器１００、チェスト機器２００、撮像機器３００、トレッドミル９００を連携させて様々な撮影条件を設定することができるので、多様な撮影方法を実現することができる。
【０１２３】
次いで、図９に示したフローチャートに戻って、図１に示すように、リスト機器１００およびチェスト機器２００を、所定の無線通信方式や有線通信方式により、パーソナルコンピュータ４０１やスマートフォン４０２、タブレット端末４０３等の情報通信端末４００に接続する（ステップＳ１０８）。これにより、センサデータメモリ１７１、２７１に保存されたセンサデータ等が、リスト機器１００およびチェスト機器２００の通信機能部１５０、２５０により、情報通信端末４００に送信され、一旦転送データメモリ４７１に保存される。そして、情報通信端末４００に送信されたセンサデータ等は、通信機能部４５０により、ネットワーク５００を介してネットワークサーバ６００に転送される（ステップＳ１０９）。
【０１２４】
なお、リスト機器１００およびチェスト機器２００により取得されたセンサデータ等を、情報通信端末４００を介してネットワークサーバ６００に転送する処理は、上述した無線通信方式や有線通信方式を使用した方法に限定されるものではない。例えば、リスト機器１００およびチェスト機器２００のセンサデータメモリ１７１、２７１の一部または全部がメモリカード等のリムーバブル記憶媒体としての形態を有している場合には、リスト機器１００およびチェスト機器２００からこれらのメモリカードを抜き取り、情報通信端末４００のカードスロットに差し込むことにより、センサデータ等を情報通信端末４００に転送するものであってもよい。
【０１２５】
また、図１に示すように、撮像機器３００を、所定の無線通信方式や有線通信方式により情報通信端末４００に接続する（ステップＳ１０８）。これにより、画像データメモリ３７１に保存された映像データが、撮像機器３００の通信機能部３５０により、情報通信端末４００に送信され、一旦転送データメモリ４７１に保存される。そして、情報通信端末４００に送信された映像データは、通信機能部４５０により、ネットワーク５００を介してネットワークサーバ６００に転送される（ステップＳ１０９）。
【０１２６】
なお、この場合においても、撮像機器３００により取得された映像データを、情報通信端末４００を介してネットワークサーバ６００に転送する処理は、上述した無線通信方式や有線通信方式を使用した方法に限定されるものではない。例えば、撮像機器３００の画像データメモリ３７１の一部または全部がメモリカード等のリムーバブル記憶媒体としての形態を有している場合には、撮像機器３００からメモリカードを抜き取り、情報通信端末４００のカードスロットに差し込むことにより、映像データを情報通信端末４００に転送するものであってもよい。
【０１２７】
また、上述したようなリスト機器１００やチェスト機器２００により取得したセンサデータ等や、撮像機器３００により取得した映像データを、ネットワークサーバ６００に転送する処理は、図１に示したパーソナルコンピュータ４０１やスマートフォン４０２等の情報通信端末４００を用いる方法に限定されるものではない。例えば、リスト機器１００やチェスト機器２００、撮像機器３００がワイファイ（WiFi（登録商標））通信によるデータ転送機能を備えている場合には、例えば図１に示したように、ネットワーク５００に接続されたアクセスポイント４０４を介して、センサデータ等や映像データを直接ネットワークサーバ６００に転送するものであってもよい。
【０１２８】
情報通信端末４００によりネットワークサーバ６００に転送されたセンサデータ等や映像データは、メモリ部６７０の転送データメモリ６７１の所定の記憶領域に保存される。このような、センサデータ等や映像データのネットワークサーバ６００への転送処理（ステップＳ１０８、Ｓ１０９）は、例えば、ユーザＵＳがリスト機器１００およびチェスト機器２００、撮像機器３００を情報通信端末４００に接続した状態で、情報通信端末４００の入力操作部４３０を操作することにより手動で実行される。あるいは、リスト機器１００およびチェスト機器２００、撮像機器３００が情報通信端末４００（アクセスポイント４０４を含む）に接続されることにより、一連の転送処理が自動的に実行されるものであってもよい。
【０１２９】
図１８は、本実施形態に係る撮影システムの制御方法を含む運動支援方法に適用されるループ映像生成処理の一例を示すフローチャートである。図１９は、本実施形態に係るループ映像生成処理に適用される、走動作における動作要素の概念を示す説明図である。図２０は、本実施形態に係るループ映像生成処理に適用される、走動作における足の接地ポイントの概念を示す説明図である。図２１は、本実施形態に係るループ映像の生成処理に適用される、センサデータから足の接地ポイントを検出する手法を示す説明図である。
【０１３０】
データ分析・加工処理手順においては、図９に示すように、まず、ネットワークサーバ６００の演算回路６６０が、転送データメモリ６７１に保存されたセンサデータ等に基づいて、所定の分析、加工処理を実行して、各種の分析情報を生成するとともに、ユーザＵＳの運動姿勢を示すループ映像を生成する（ステップＳ１１０）。
【０１３１】
ループ映像生成処理は、具体的には、図１８に示すように、まず、演算回路６６０は、センサデータ等を収集する際に関連付けられた時間データと、映像データを収集する際に関連付けられた時間データとに基づいて、センサデータ等と映像データを関連付ける（ステップＳ１４１）。すなわち、リスト機器１００やチェスト機器２００、撮像機器３００は、例えばステップＳ１０１に示したように、機器の起動時に例えばブルートゥース（Bluetooth（登録商標））通信を用いて、予め動作クロックが同期されているので、センサデータ等や映像データに関連付けられている時間データを共通のタイムスタンプとして用いて同期させることにより、センサデータ等と映像データを連携させることができる。
【０１３２】
次いで、演算回路６６０は、センサデータ等に基づいて、例えば右足の接地ポイントから次の右足の接地ポイントまでの１周期分の走動作を判別して、センサデータ等を切り出す（ステップＳ１４２）。具体的には、一般に、ランニング時の走動作は、図１９に示すように、大別して、右足（または左足）の「接地」状態を示す局面１、右足による「支持期中点」状態を示す局面２、右足の「離地」状態を示す局面３、右足の後方への蹴り出し後の「フォロー」状態を示す局面４、右足の「遊脚期中点」状態を示す局面５、右足の前方への振り出しによる「スイング」状態を示す局面６の、一連の動作要素により構成されている。ここで、図１９に示した局面１、２は、右足による「支持期（スタンス）」、また、局面３〜６は、「遊脚期（リカバリー）」、と定義することができる。すなわち、ランニング時には、上記のような局面１〜６からなる一連の動作要素を有する期間を１周期（ランニング周期）として、この一連の動作要素が繰り返し実行される。そこで、演算回路６６０は、上記のような走動作を示す各局面１〜６に対応付けて、一方の足の接地（局面１）から、一連の動作要素を経て、次の一方の足の接地までのセンサデータ等を切り出して、走動作の１周期分として抽出する。
【０１３３】
ここで、センサデータ等の切り出しの基点となる接地ポイントは、図２０に示すように、チェスト機器２００の３軸加速度センサ２１１により検出される加速度データの上下方向成分の信号波形を観測することにより導出することができる。具体的には、図２１（ａ）に示す、重力加速度と加速度データの上下方向成分との差分の信号波形、および、図２１（ｂ）に示す、加速度データの上下方向成分の信号波形における特徴点に基づいて、接地ポイントを導出することができる。ここでは、図２１（ａ）に示した信号波形における極大値（最大値）となる加速度の直前に現れる極小値を接地ポイントと推定でき、また、図２１（ｂ）に示した信号波形における極小値となる加速度の直前に現れる変化点を接地ポイント、同直後に現れる変化点を離地ポイントとして検出することができる。そして、これらの検出結果に基づいて、センサデータ等から接地ポイントを判定することができる。
【０１３４】
次いで、演算回路６６０は、切り出された１周期分のセンサデータ等に関連付けられた時間データ（タイムスタンプ）に基づいて、当該１周期に対応する映像データを切り出す（ステップＳ１４３）。すなわち、センサデータ等と映像データとは、予め同期された動作クロックに基づく時間データに関連付けられている。したがって、この時間データをタイムスタンプとして、ステップＳ１２２において切り出された１周期分のセンサデータ等の接地ポイント（開始点）から次の接地ポイント（終点）までの時間データに対応する映像データを切り出すことにより、１周期分のセンサデータ等に対応する（略同期する）映像データが抽出される。ここで、切り出されたセンサデータ等と映像データとは、略同期がとれているので、センサデータ等に基づいて検出される接地ポイントにおいて接地する足が、右足であるか左足であるかを判別することができる。これにより、判別された足の接地ポイントに基づいて、抽出されたセンサデータ等と映像データとを同期させることができる。このように、左右の足の接地ポイントおよび離地ポイントに基づいて、相互の対応関係を判別することにより、センサデータと映像データとの同期は比較的容易に行うことができる。
【０１３５】
次いで、演算回路６６０は、切り出した１周期分の映像データの開始点から終点までを繋げて、ループ映像を生成する（ステップＳ１４４）。すなわち、１周期の開始点である最初の接地ポイントから終点である次の接地ポイントまでの映像データにおいて、終点と開始点を繋げることにより、１周期分の映像データがくり返されるループ映像が生成される。
【０１３６】
次いで、演算回路６６０は、生成したループ映像とセンサデータ等を時間データに基づいて再度同期をとることにより、ループ映像とセンサデータ等を連携させる。そして、相互に連携されたセンサデータ等とループ映像は、時間データ（タイムスタンプ）に関連付けられて、データベース７００の所定の記憶領域に保存されるとともに、後述するデータ閲覧・活用手順において、ユーザ端末８００の表示部にウェブブラウザを用いて所定の表示形態で表示される（ステップＳ１４５）。
【０１３７】
また、演算回路６６０は、上述したループ映像生成処理（ステップＳ１１０）に前後して、あるいは、並行して、センサデータ等に基づいて、少なくとも、ユーザＵＳの運動時の姿勢（ランニングフォーム）に関わる各種の項目を分析する。具体的には、運動姿勢に関わる各種の項目として、例えば運動中のピッチやストライド、体幹のブレやバラツキ、地面反力、接地時間、腕の振り等が分析される。そして、演算回路６６０は、これらの分析結果や分析データ（分析情報）を時間データに関連付けて、データベース７００の所定の記憶領域に保存する。なお、これらの分析結果や分析データは、上述したセンサデータ等と同様に、ループ映像と同期をとることにより相互に連携させてもよい。
【０１３８】
ここで、運動姿勢に関わる各種の項目については、次のような分析処理が行われる。
ランニング中のピッチの分析においては、チェスト機器２００により取得された３軸方向の加速度データに基づいて、例えば１分間当たりの歩数（単位：bpm）が計測される。そして、このピッチの数値が適切な範囲内であれば、現在のペース（走行速度）を維持することができると判断される。
【０１３９】
また、ランニング中のストライドの分析においては、チェスト機器２００により取得された３軸方向の加速度データ、および、リスト機器１００により取得されたＧＰＳデータに基づいて、所定のタイミングにおける歩幅（単位：ｃｍ）が計測される。そして、このストライドの数値が最適または良好な範囲内であれば、現在のペースを維持することができると判断される。ここで、一般にランニング中に疲労が蓄積すると、ストライドが短くなるため、ピッチを上げてペースを維持する傾向があるため、上記のピッチと関連付けて運動状態が判断される。
【０１４０】
また、ランニング中の体幹のブレの分析においては、チェスト機器２００により取得された３軸方向の加速度データに基づいて、特定の時間（例えばランニング動作における１周期）内における体幹の基準軸の角度の前後、左右、上下の各方向における変化（最大値および最小値）が算出される。本実施形態においては、体幹のブレとして、身体の頭部の位置を固定した場合の、身体（体幹）の前後、左右、上下の各方向における体幹の基準軸の角度が最小であるとき、および、最大であるときのずれを角度として算出する。そして、この体幹のブレの数値が小さいまたは所定の範囲内であれば、効率的な走りができると判断される。
【０１４１】
また、ランニング中の体幹のバラツキの分析においては、チェスト機器２００により取得された３軸方向の加速度データに基づいて、体幹の前後、左右の各方向における基準軸の傾きのバラツキが算出される。本実施形態においては、体幹のバラツキとして、走動作の１周期ごとに算出される体幹の基準軸の傾きの平均値について、他の複数の周期との間で相互のバラツキを角度として算出する。そして、この体幹のバラツキの数値が小さいまたは所定の範囲内であれば、安定した姿勢の走りができると判断される。
【０１４２】
また、ランニング中の地面反力の分析においては、チェスト機器２００により取得された３軸方向の加速度データに基づいて、足を着地したときに地面から上方向に受ける反力（単位：ＮまたはsecまたはＮ／sec）が算出される。本実施形態においては、３軸加速度センサ２１１により検出される３軸方向の加速度データの上下方向成分を観測することにより下方向の加重を計測して、地面反力（力の作用、反作用の法則により、足裏に地面から上方向に受ける反力）を算出する。ここで、ランニング中には、この地面反力を利用して、走行方向への推進力が得られていること、また、地面反力は、地面に対して下方向に加わる加重に比例することが判明している。このことから、地面反力の数値が大きいまたは所定値以上であれば、効率的で力強い走りができると判断される。
【０１４３】
また、ランニング中の接地時間の分析においては、チェスト機器２００により取得された３軸方向の加速度データに基づいて、足の着地から離地までの時間（単位：msecまたは％）が算出される。本実施形態においては、３軸加速度センサ２１１により検出される３軸方向の加速度データのうち上下方向成分を観測することにより、図２０、図２１に示したように、右足と左足のそれぞれについて接地ポイントおよび離地ポイントを検出して、接地時間を個別に算出する。そして、この接地時間の数値が短いまたは所定値以下であれば、速い走りができると判断される。
【０１４４】
また、ランニング中の腕の振りの分析においては、リスト機器１００により取得された３軸方向の加速度データおよび角速度データに基づいて、腕の振りの角度が計測される。本実施形態においては、腕の振りのパラメータとして、リスト機器１００を装着した腕（例えば左腕）を、最大前方に振り出した状態から最大後方に引き戻した状態までの腕の角度と、腕振りの支点である肩の関節から腕の先端までの長さを計測する。そして、この腕の振りの数値が大きいまたは所定値以上であれば、効率的で力強い走りができると判断される。
【０１４５】
これらの分析項目は、いずれもユーザＵＳのランニング中の運動姿勢（ランニングフォーム）の構成要素を示すものである。すなわち、リスト機器１００およびチェスト機器２００により取得されるセンサデータ等を分析、加工処理して、上記の分析項目ごとに数値化することにより、ユーザＵＳのランニング中の運動姿勢を、分析項目ごとに比較的正確に再現することができる。なお、ここに示した分析項目は、本実施形態に適用可能な一例を示したものに過ぎず、本発明はこれに限定されるものではない。すなわち、本発明に係る撮影システムの制御方法を含む運動支援方法においては、運動姿勢（ランニングフォーム）の構成要素となり得るものであれば、上述した分析項目に追加して、あるいは、上述した分析項目に替えて、他の分析項目を適用するものであってもよい。
【０１４６】
次いで、図９に示したフローチャートに戻って、演算回路６６０は、ステップＳ１１０により生成されたループ映像に、運動姿勢（ランニングフォーム）に関わる各種の分析項目で使用する支点の位置を指定する（ステップＳ１１１）。具体的には、この支点は、上述した体幹のブレやバラツキの分析の場合には、体幹の基準軸の角度を算出する際の基準点であって、身体の頭部の位置に相当する。また、地面反力や接地時間の分析の場合には、接地状態の足裏に相当する。また、腕の振りの分析の場合には、腕の振りの角度を算出する際の基準点であって、身体の肩の関節の位置に相当する。これらの支点は、例えばユーザＵＳの運動姿勢や走り方を撮像機器３００により撮影する際に、予め支点となる位置（頭部や肩等）にマーカ等を取り付けて撮影をすることにより、映像データから画像解析によりマーカの位置を抽出して、支点位置として指定する手法を適用することができる。また、運動姿勢や走り方について、予め支点位置を設定した複数のモデルデータを準備しておいて、取得した映像データと各モデルデータとをマッチングすることにより類似度の高いモデルデータを決定して、そのモデルデータに設定された支点位置を指定するものであってもよい。さらには、後述するように、ウェブ画面上に表示されたループ映像をユーザＵＳが閲覧した際に、入力操作部を操作して任意の位置に支点を設定したり、調整したりするものであってもよい。この場合には、支点の位置を指定する処理（ステップＳ１１１）は、後述するウェブ画面上へのセンサデータ等とループ映像の連携表示（ステップＳ１１２）の際に実行される。なお、ループ映像中に指定される支点の位置については、後述する運動情報の表示例（センサデータ等や分析情報とループ映像の連携表示）において詳しく説明する。
【０１４７】
次いで、データ閲覧・活用手順においては、図９に示すように、まず、ユーザＵＳが情報通信端末４００またはユーザ端末８００を操作して、ネットワーク５００を介してネットワークサーバ６００にアクセスする。そして、ユーザＵＳが任意の分析情報の表示を要求（リクエスト）する操作を行うことにより、ネットワークサーバ６００は、演算回路６６０によりデータベース７００に保存された各種の分析情報等を読み出して、上記の要求に応じた所定の表示形態を有するウェブ表示データに加工処理する。ここでは、情報通信端末４００を介して転送されたセンサデータ等（転送データ）がグラフ等の形態で表示されて、ループ映像と連携し、また、上述した各種の分析情報がループ映像に重ね合わせて表示されるように設定されたウェブ表示データが生成される。生成されたウェブ表示データは、図１に示すように、通信機能部６５０によりネットワーク５００を介して、情報通信端末４００やユーザ端末８００に送信されて、ウェブブラウザを用いて表示部４４０に表示される（ステップＳ１１２）。
【０１４８】
そして、ユーザＵＳは、情報通信端末４００やユーザ端末８００の表示部４４０に表示されたセンサデータ等のグラフや、分析情報の数値が重ね合わせて表示されたループ映像を閲覧することにより、センサデータ等や分析情報と運動姿勢との関係を、視覚を通じて把握して自己分析する（ステップＳ１１３）。これにより、ユーザＵＳは自己の運動状態の特徴を、視覚を通じて的確に把握して分析することができるので、その後の運動方法の改善等に反映させることができる。
【０１４９】
（運動情報の表示例）
次に、本実施形態に係る撮影システムの制御方法を含む運動情報表示方法に適用される運動情報の表示例（センサデータ等や分析情報とループ映像の連携表示）について、図面を参照して説明する。
【０１５０】
図２２は、本実施形態に係る撮影システムに適用されるユーザ端末等に表示される運動情報の一表示例を示す概略図である。なお、以下に示す表示例は、本発明に係る撮影システムの制御方法を含む運動支援方法に適用可能な一例を示すものに過ぎず、表示される情報の種類、表示方法、表示位置等は、任意に設定されるものであってもよい。
【０１５１】
上述したデータ分析・加工処理手順において生成され、データベース７００に保存された各種の分析情報やループ映像は、ステップＳ１１２において、ユーザＵＳが情報通信端末４００またはユーザ端末８００（以下、「ユーザ端末８００等」と略記する）を操作してネットワークサーバ６００にアクセスすることにより、所望する分析項目に応じて、以下に示すような表示形態で表示される。ここで、ユーザ端末８００等は、上述したように、ネットワーク５００への接続機能を備え、閲覧用ソフトウェアであるウェブブラウザが組み込まれているので、ネットワークサーバ６００においてウェブ表示データとして設定されたセンサデータ等や各種の分析情報とループ映像を、ウェブ画面に連携表示させることができる。
【０１５２】
本実施形態に係る運動情報の表示例においては、例えば図２２に示すように、ユーザ端末８００等の表示部に表示されるウェブ画面８１０の中段領域の左方および中央に、ループ映像８２１、８２２が表示され、中段領域の右方に、表示項目選択用アイコン８３１、および、ループ映像８２１、８２２の再生用のコントロールアイコン８３２が表示される。また、ウェブ画面８１０の下段領域に、ランニング中に取得されたセンサデータ（３軸方向の加速度データ）の時間変化を示すグラフ８４１〜８４３が表示される。
【０１５３】
ループ映像８２１、８２２は、ユーザＵＳのランニング中に取得されたセンサデータ等および映像データに基づいて、上述したループ映像生成処理により任意のタイミング（または期間）におけるランニングフォームを示すように生成され、上述した各種の分析項目における分析結果が数値データおよびガイド線（または説明用補助線）とともに表示される。ここで、図２２に示したループ映像８２１においては、ユーザＵＳのランニングフォームの後方からの映像が反映され、また、ループ映像８２２においては、ユーザＵＳのランニングフォームの側方（右方）からの映像が反映される。
【０１５４】
具体的には、図２２に示すループ映像８２１、８２２においては、ランニング中の前後左右方向の体幹のブレ（最大の前方向の傾きと最大の後ろ方向の傾き）が、映像中に支点（図中、黒丸で表記）およびガイド線（図中、太点線および細点線で表記）により表示されるとともに、そのブレの大きさがガイド線間の角度（図中では、３°、１５°と表記）により表示される。ここでは、図中、黒丸で表記された支点を基準点、太点線で表記されたガイド線を基準軸として、細点線で表記されたガイド線の角度が、数値データとしてループ映像８２１、８２２に重ね合わせて表示される。
【０１５５】
なお、ループ映像８２１、８２２に表示される各支点は、上述したように、ユーザＵＳの運動姿勢や走り方示す映像を撮像機器３００により撮影する際に、予め支点となる位置にマーカ等を取り付けて撮影をすることにより、あるいは、予め支点位置を設定したモデルデータに基づいて、その位置が指定される。また、ユーザ端末８００等の表示部に表示されるウェブ画面８１０のループ映像８２１、８２２をユーザＵＳが閲覧して、入力操作部を操作することにより、任意の位置に支点を設定したり、一旦設定された支点位置を調整したりするものであってもよい。
【０１５６】
表示項目選択用アイコン８３１は、ランニングフォームの構成要素を示す分析項目を選択するためのものである。図２２に示すように、ユーザＵＳがマウスポインタＰＴやタッチパネル等で任意の分析項目を選択する操作を行うことにより、センサデータ等の時間変化を示すグラフ８４１〜８４３とともに、当該センサデータ等に連携するループ映像８２１、８２２に、当該分析項目における分析結果を示す数値データが重ね合わせて表示される。
【０１５７】
ループ映像再生用のコントロールアイコン８３２は、ループ映像８２１、８２２の早戻し、巻き戻し、停止、再生、早送り等の表示制御を行うためのものであり、ユーザＵＳがマウスポインタＰＴやタッチパネル等で任意のアイコンを選択する操作を行うことにより、ループ映像８２１、８２２が任意の速度で任意の方向に再生表示される。
【０１５８】
グラフ８４１〜８４３は、各分析項目における分析処理に用いられるセンサデータ等（図では３軸方向の加速度データ）の時間変化を示すものであり、ユーザＵＳがマウスポインタＰＴやタッチパネル等でグラフ８４１〜８４３のセンサデータ等の任意の時間位置を指示する操作を行うことにより、指示された時間位置のセンサデータ等に対応したループ映像８２１、８２２が表示される。
【０１５９】
上述したような運動情報の表示例において、ユーザＵＳは、次のような操作を行うことによりランニング時の運動状態を把握することができる。まず、ユーザＵＳがウェブ画面８１０に表示された表示項目選択用アイコン８３１の任意の分析項目をマウスポインタＰＴやタッチパネル等で指示操作（例えばクリック操作）する。この操作により、図２２に示したように、センサデータ等の時間変化を示すグラフ８４１〜８４３とともに、当該センサデータ等に連携するループ映像８２１、８２２に、選択された分析項目における分析結果（分析情報）を示す数値データが重ね合わせて表示される。
【０１６０】
次いで、ユーザＵＳが例えばループ映像再生用のコントロールアイコン８３２の再生ボタンをマウスポインタＰＴやタッチパネル等で指示操作することにより、センサデータ等に連携するループ映像が再生表示される。このとき、当該ループ映像８２１、８２２の再生表示に連動して、グラフ８４１〜８４３のセンサデータ上に表示されたマーカの位置が移動する。そして、ユーザＵＳがループ映像再生用のコントロールアイコン８３２の早戻し、巻き戻し、停止、早送りボタンを指示することにより、分析情報が重ね合わせて表示されたループ映像が任意の速度で、任意の方向に再生される。また、ユーザＵＳが例えばグラフ８４１〜８４３のセンサデータ等の任意の時間位置をマウスポインタＰＴやタッチパネル等で指示操作することにより、指示された時間位置にマーカが移動するとともに、当該時間位置のセンサデータ等に対応したループ映像８２１、８２２が分析情報とともに再生表示される。
【０１６１】
このように、本実施形態に係る撮影システムを適用した運動支援方法においては、ユーザＵＳの運動（ランニング）中に種々のセンサデータ等や映像データが収集され、当該センサデータ等や各種の分析情報がループ映像と連携して、数値やグラフ等の形態でユーザ端末８００等に表示される。特に、本実施形態においては、運動姿勢（ランニングフォーム）を示す映像データをハイスピード撮影により取得する際に、ユーザＵＳの運動状態に関わるセンサデータ等に基づく撮影条件を設定して、撮像機器３００における撮影開始および終了操作を制御することにより、所望のランニング状態にある期間の映像データのみが取得されて保存される。そして、センサデータ等、および、上記の実際の運動時の映像に基づいてループ映像が生成され、例えばセンサデータ（加速度データ）の時間変化を示すグラフとループ映像が連携して表示されるとともに、任意の分析情報がループ映像中に重ね合わせた形態で、ユーザ端末８００等の表示部に一画面で表示される。
【０１６２】
したがって、本実施形態によれば、所望の撮影条件を設定することにより所望のランニング状態の映像データのみが自動的に取得されるので、運動中のユーザの実際の運動姿勢等を簡易かつ的確に撮影することができる。また、本実施形態によれば、ユーザＵＳはユーザ端末８００等を介して、ランニング等の運動時のセンサデータ等や各種の分析情報を、実際の運動姿勢（ランニングフォーム）を示すループ映像に連動させて閲覧することができるので、運動姿勢を含む詳細な運動情報を、一目で簡易かつ的確に把握することができる。また、運動姿勢の構成要素を示す各種の分析項目ごとに、ループ映像に分析情報が重ね合わせて表示されるので、ユーザＵＳは視覚を通じて、運動中のどの時点でどのような運動姿勢であったかを把握したり、どの分析項目について問題があるか等の良否を判断したりして、客観的に自己分析を行うことができる。これにより、ユーザは、運動時の特徴を容易に把握することができ、その後の運動方法の改善等に反映させることができる。
【０１６３】
また、本実施形態においては、ネットワーク５００に接続されたネットワークサーバ６００において、運動中に取得されたセンサデータ等の分析処理や、ループ映像の生成処理が実行され、ユーザ端末８００等からの要求に応じて、ウェブ画面上に運動姿勢を含む詳細な運動情報が相互に連携する形態で表示される。したがって、ユーザＵＳが利用するユーザ端末８００等は、閲覧用ソフトウェアであるウェブブラウザが組み込まれた汎用のネットワーク通信機器、または、それと同等の機能を有していればよく、センサデータ等の分析処理やループ映像の生成処理に関わるハードウェアやソフトウェアを備えている必要がないので、簡易な構成で本実施形態に係る撮影システムを実現することができる。加えて、ネットワーク５００に接続されたネットワークサーバ６００において、センサデータ等の分析処理やループ映像の生成処理を実行することにより、複雑な分析、加工処理を短時間で実現することができるので、各種の運動情報をより的確に把握することができるとともに、より詳細に分析することができる。
【０１６４】
（システムの変形例）
次に、上述した実施形態に係る撮影システムの変形例について説明する。
図２３は、本実施形態に係る撮影システムの変形例を示す概略構成図である。ここで、上述した実施形態（図１参照）と同等の構成については同一の符号を付してその説明を簡略化する。
【０１６５】
上述した実施形態においては、運動時に取得したセンサデータ等や映像データを、ネットワーク５００に接続されたネットワークサーバ６００に転送し、当該ネットワークサーバ６００において、センサデータ等の分析処理や、ループ映像の生成処理を行った後、ネットワーク５００を介してユーザ端末８００等に提供する、いわゆるクラウドコンピューティング型のシステムを有する場合について説明した。本発明はこれに限定されるものではなく、運動時に取得したセンサデータ等や映像データを、情報通信端末４００において直接分析、加工処理した後、ユーザ端末８００または情報通信端末４００の表示部に表示して、ユーザＵＳに提供する構成を有するものであってもよい。
【０１６６】
具体的には、本変形例に係る撮影システムは、図２３に示すように、概略、リスト機器１００やチェスト機器２００と、撮像機器３００と、パーソナルコンピュータ４０５等の情報通信端末４００と、ユーザ端末８００と、を有している。ここで、情報通信端末４００は、上述した実施形態に示したネットワークサーバ６００において実行されるセンサデータ等の分析、加工処理や、ループ映像の生成処理と同等の処理機能を備えている。
【０１６７】
このような撮影システムにおいて、図２３に示すように、まず、リスト機器１００やチェスト機器２００により運動中のセンサデータ等が取得され、また、撮像機器３００により運動中の映像データが取得される。次いで、運動終了後に、これらのセンサデータ等や映像データが情報通信端末４００に転送される。そして、情報通信端末４００において、転送されたセンサデータ等を分析、加工処理して、ユーザＵＳの運動状態に関する各種の分析情報を生成するとともに、センサデータ等に同期するループ映像を生成して、メモリ部４７０の所定の記憶領域に保存する。これにより、情報通信端末４００の表示部４４０に、センサデータ等や各種の分析情報とループ映像が、例えば上述した表示例に示したような所定の表示形態で連携して表示される。また、情報通信端末４００に所定の通信方式により接続されたスマートフォン８０１やタブレット端末８０２等のユーザ端末８００に対して、センサデータ等や各種の分析情報とループ映像が連携するように設定されたウェブ表示データが送信される。これにより、ユーザ端末８００の表示部に、センサデータ等や各種の分析情報とループ映像が、所定の表示形態で連携して表示される。この場合、情報通信端末４００からユーザ端末８００へのセンサデータ等や各種の分析情報、ループ映像の送信方法は、無線通信や有線通信により相互に直接接続して送信するものであってもよいし、各種のネットワークを介して送信するものであってもよいし、メモリカード等の記憶媒体を介してデータを受け渡しするものであってもよい。
【０１６８】
これによれば、情報通信端末４００においてセンサデータ等の分析、加工処理やループ映像の生成処理が行われるので、センサデータ等や映像データの転送に必要とする時間を短縮することができる。また、ネットワーク接続環境を必要としないので、ネットワーク接続機能を備えていない情報通信端末４００や、ネットワークへの接続が困難な状況であっても、センサデータ等の分析処理や、対応するループ映像の生成処理を行うことができ、ユーザＵＳに適切な情報を提供することができる。
【０１６９】
なお、本変形例においては、リスト機器１００やチェスト機器２００から転送されたセンサデータ等を分析、加工処理し、センサデータ等に同期するループ映像を生成する情報通信端末４００として、各種の情報通信端末のうち、比較的演算処理能力が高いパーソナルコンピュータ４０５を適用した場合を示したが、演算処理の内容によっては、あるいは、十分な処理能力を備えている場合には、スマートフォンやタブレット端末等の他の端末を適用するものであってもよい。
【０１７０】
なお、上述した実施形態および変形例においては、センサ機器として手首に装着するリスト機器１００や、胸部に装着するチェスト機器２００を適用した場合を示したが、本発明はこれに限定されるものではない。本発明は、運動中の人体における動作状態や生体情報を示すセンサデータ等を取得することができるものであれば、他のセンサ機器であってもよく、例えば、上腕部や足首、腰部や靴紐等に装着するものであってもよい。
【０１７１】
また、上述した実施形態においては、撮影システムを適用する運動としてランニングを例にして説明したが、本発明はこれに限定されるものではなく、例えばウォーキングやサイクリング等の他の運動に適用するものであってもよい。
【０１７２】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【０１７３】
（付記）
［１］
撮影装置と、被写体の運動状態を検出する運動状態検出装置と、を含み、
前記運動状態検出装置は、
前記被写体の運動状態を検出する検出部と、
前記検出部により検出された検出信号、または、前記検出信号に基づいて生成された生成信号が、所定の撮影条件を満たしているか否かに応じて、前記撮影装置における撮影処理を制御する撮影制御信号を出力する撮影条件判定部と、
前記撮影制御信号を、前記撮影装置に送信する通信機能部と、
を有し、
前記撮影装置は、
前記被写体の運動の様子を撮影するための撮像部と、
前記運動状態検出装置から送信される前記撮影制御信号を受信する受信部と、
前記撮影制御信号に基づいて、前記撮像部に前記撮影処理を実行させる撮影制御部と、
を有することを特徴とする撮影システム。
【０１７４】
［２］
前記検出信号は、前記被写体の運動の状態に伴って変化する信号であり、
前記撮影装置は、前記被写体の運動の様子を撮影する
ことを特徴とする［１］に記載の撮影システム。
【０１７５】
［３］
前記運動状態検出装置は、心拍センサ、または、加速度センサを有し、
前記検出信号は、前記心拍センサ、または、前記加速度センサにより検出された信号であり、
前記生成信号は、前記被写体の運動状態に関わる信号である
ことを特徴とする［１］または［２］に記載の撮影システム。
【０１７６】
［４］
前記撮影条件判定部は、
前記検出信号、または、前記生成信号の値が、予め設定した第一の基準値を上回ったときに、前記撮影装置における前記撮影処理を開始させる撮影制御信号を出力し、
前記検出信号、または、前記生成信号の値が、予め設定した第二の基準値を上回ったとき、または、予め設定した第三の基準値を下回ったときに、前記撮影装置における前記撮影処理を終了させる撮影制御信号を出力する
ことを特徴とする［１］乃至［３］のいずれかに記載の撮影システム。
【０１７７】
［５］
前記撮影条件判定部は、
前記検出信号、または、前記生成信号の値が、予め設定した第一の基準値を下回ったときに、前記撮影装置における前記撮影処理を開始させる撮影制御信号を出力し、
前記検出信号、または、前記生成信号の値が、予め設定した第二の基準値を下回ったとき、または、予め設定した第三の基準値を上回ったときに、前記撮影装置における前記撮影処理を終了させる撮影制御信号を出力する
ことを特徴とする［１］乃至［３］のいずれかに記載の撮影システム。
【０１７８】
［６］
前記撮影条件判定部は、
前記検出信号、または、前記生成信号の振幅が、予め設定した範囲に収まったときに、前記撮影装置における前記撮影処理を開始させる撮影制御信号を出力し、
前記検出信号、または、前記生成信号の振幅が、予め設定した範囲を逸脱したときに、前記撮影装置における前記撮影処理を終了させる撮影制御信号を出力する
ことを特徴とする［１］乃至［３］のいずれかに記載の撮影システム。
【０１７９】
［７］
前記撮影条件判定部は、
前記検出信号、または、前記生成信号の振幅が、予め設定した範囲を逸脱したときに、前記撮影装置における前記撮影処理を開始させる撮影制御信号を出力し、
前記検出信号、または、前記生成信号の振幅が、予め設定した範囲に収まったときに、前記撮影装置における前記撮影処理を終了させる撮影制御信号を出力する
ことを特徴とする［１］乃至［３］のいずれかに記載の撮影システム。
【０１８０】
［８］
前記運動状態検出装置は、前記検出信号、または、前記生成信号と、前記撮影装置において撮影された撮影データとの同期を行うための同期信号を出力する同期信号生成部を有し、
前記通信機能部は、前記同期信号を、前記撮影装置に送信し、
前記撮影制御部は、前記受信部を介して受信した前記同期信号に基づいて、前記撮影データを前記検出信号、または、前記生成信号と同期し、
前記撮影装置は、前記同期された前記撮影データを保存する記憶部を有する
ことを特徴とする［１］乃至［７］のいずれかに記載の撮影システム。
【０１８１】
［９］
撮影装置と、被写体の運動状態を検出する運動状態検出装置と、を含む撮影システムの制御方法であって、
前記運動状態検出装置によって、
前記被写体の運動状態を検出し、
前記検出された検出信号、または、前記検出信号に基づいて生成された生成信号が、所定の撮影条件を満たしているか否かに応じて、前記撮影装置における撮影処理を制御する撮影制御信号を出力し、
前記撮影制御信号を前記撮影装置に送信し、
前記撮影装置によって、
前記被写体の運動の様子を撮影し、
前記運動状態検出装置から送信される前記撮影制御信号を受信し、
前記撮影制御信号に基づいて、前記撮影装置に前記撮影処理を実行させる、
ことを特徴とする撮影システムの制御方法。
【０１８２】
［１０］
撮影装置と、被写体の運動状態を検出する運動状態検出装置と、を含む撮影システムの制御プログラムであって、
コンピュータに、
前記運動状態検出装置によって、
前記被写体の運動状態を検出させ、
前記検出された検出信号、または、前記検出信号に基づいて生成された生成信号が、所定の撮影条件を満たしているか否かに応じて、前記撮影装置における撮影処理を制御する撮影制御信号を出力させ、
前記撮影制御信号を前記撮影装置に送信させ、
前記撮影装置によって、
前記被写体の運動の様子を撮影させ、
前記運動状態検出装置から送信される前記撮影制御信号を受信させ、
前記撮影制御信号に基づいて、前記撮影装置に前記撮影処理を実行させる、
ことを特徴とする撮影システムの制御プログラム。
【符号の説明】
【０１８３】
１００    リスト機器（運動状態検出装置）
１１０    センサ部（検出部）
１２０    ＧＰＳ受信回路（検出部）
１５０    通信機能部
１６０    演算回路（撮影条件判定部、同期信号生成部）
１７０    メモリ部
２００    チェスト機器（運動状態検出装置）
２１０    センサ部（検出部）
２２０    心拍検出回路（検出部）
２５０    通信機能部
２６０    演算回路
２７０    メモリ部
３００    撮像機器（撮影装置）
３１０    撮影部（撮像部）
３４０    表示部
３５０    通信機能部（受信部）
３６０    演算回路（撮影制御部）
３７０    メモリ部（記憶部）
４００    情報通信端末
４４０    表示部
４５０    通信機能部
４６０    演算回路
４７０    メモリ部
５００    ネットワーク
６００    ネットワークサーバ
６５０    通信機能部
６６０    演算回路
６７０    メモリ部
７００    データベース
８００    ユーザ端末
ＵＳ      ユーザ
【図１】
2015128216.tif 000003
【図２】
2015128216.tif 000004
【図３】
2015128216.tif 000005
【図４】
2015128216.tif 000006
【図５】
2015128216.tif 000007
【図６】
2015128216.tif 000008
【図７】
2015128216.tif 000009
【図８】
2015128216.tif 000010
【図９】
2015128216.tif 000011
【図１０】
2015128216.tif 000012
【図１１】
2015128216.tif 000013
【図１２】
2015128216.tif 000014
【図１３】
2015128216.tif 000015
【図１４】
2015128216.tif 000016
【図１５】
2015128216.tif 000017
【図１６】
2015128216.tif 000018
【図１７】
2015128216.tif 000019
【図１８】
2015128216.tif 000020
【図１９】
2015128216.tif 000021
【図２０】
2015128216.tif 000022
【図２１】
2015128216.tif 000023
【図２２】
2015128216.tif 000024
【図２３】
2015128216.tif 000025